(57)【要約】  第１の流体送達端部領域で終端する長手軸を画定するバレルと、第１の流体送達端部領域に対してバレルに沿って移動可能な本体であって、針担体、プランジャ、及びその間のカプセル担体を備えた、本体と、本体とバレルとの間にあり、針の上流端部がカプセルを穿刺し、第１の流体送達端部領域から突出して、流体を流体送達部位まで送達する分配構成への、針担体に向けたプランジャ及びカプセル担体の移動を可能にするために、患者の流体送達部位でのバレルの圧縮係合によって生じるその間の解放力に応じるラッチ・インターフェイスとを備えた流体ディスペンサが本明細書に開示される。
2020501861.tif 000002
【特許請求の範囲】
【請求項１】
第１の流体送達端部領域で終端する長手軸を画定するバレルと、第１の段階では分配前構成と分配構成との間、及び第２の段階では分配構成と係止された分配後構成との間で前記第１の流体送達端部領域に対して前記バレルに沿って移動可能なディスペンサ本体とを備えた流体ディスペンサであって、前記ディスペンサ本体は、前記第２の段階での移動中に前記ディスペンサ本体を前記係止された分配後構成で係止するように構成される少なくとも１つの係止構造と整列された配向を求めて前記第１の段階中に前記長手軸周りに回転するように構成される、流体ディスペンサ。
【請求項２】
前記ディスペンサ本体は、その上に画定された第２の流体送達端部領域を備えた針担体を備える、前述又は後述の請求項のいずれかに記載のディスペンサ。
【請求項３】
前記針担体は、前記係止された分配後構成で前記バレル内の収縮位置にあるように構成される、前述又は後述の請求項のいずれかに記載のディスペンサ。
【請求項４】
前記ディスペンサ本体は、運ばれたカプセルから流体を分配するように、前記第１の段階で前記針担体に対して移動可能な流体カプセル担体を備える、前述又は後述の請求項のいずれかに記載のディスペンサ。
【請求項５】
前記ディスペンサ本体は、運ばれたカプセルを加圧するように、前記第１の段階の少なくとも一部で前記流体カプセル担体に対して移動可能なプランジャ構造を備える、前述又は後述の請求項のいずれかに記載のディスペンサ。
【請求項６】
前記流体カプセル担体は、前記第１の段階の少なくとも一部の間に、前記プランジャ構造で移動するように構成される、前述又は後述の請求項のいずれかに記載のディスペンサ。
【請求項７】
前記第１の段階の少なくとも一部の間に、前記流体カプセル担体は、係止非整列及び係止整列角度位置の間で軸方向に回転するように構成される、前述又は後述の請求項のいずれかに記載のディスペンサ。
【請求項８】
前記バレルに対する前記流体カプセル担体の軸方向回転を可能にするように、前記流体カプセル担体、及び前記プランジャ構造及び前記針担体のうちの少なくとも一方の上にそれぞれ、複数の協働要素にわたって画定される少なくとも１つの回転インターフェイスをさらに備える、前述又は後述の請求項のいずれかに記載のディスペンサ。
【請求項９】
前記少なくとも１つの回転インターフェイスは、それぞれ対応する第１のセットの第１の協働要素のうちの１つを備えた、前記流体カプセル担体と前記プランジャ構造との間に設けられた第１の回転インターフェイスを備える、前述又は後述の請求項のいずれかに記載のディスペンサ。
【請求項１０】
前記少なくとも１つの回転インターフェイスは、それぞれ対応する第２のセットの第２の協働要素のうちの１つを備えた、前記流体カプセル担体と前記針担体との間に設けられた第２の回転インターフェイスを備える、前述又は後述の請求項のいずれかに記載のディスペンサ。
【請求項１１】
前記第１及び／又は第２の協働要素は、少なくとも１つのガイド経路と、前記ガイド経路に沿って移動する少なくとも１つのフォロワとを備える、前述又は後述の請求項のいずれかに記載のディスペンサ。
【請求項１２】
前記ガイド経路は傾斜する、前述又は後述の請求項のいずれかに記載のディスペンサ。
【請求項１３】
前記流体カプセル担体は、そこを通して前記プランジャ構造を受けるように、前記第２の流体送達端部領域に対向する開口端部領域を有するカプセル担体本体を備える、前述又は後述の請求項のいずれかに記載のディスペンサ。
【請求項１４】
前記少なくとも１つの第１のガイド経路は、前記プランジャ構造上で前記第１のフォロワと係合するように、前記開口端部領域の近くで動作可能に配向される、前述又は後述の請求項のいずれかに記載のディスペンサ。
【請求項１５】
前記第２のガイド経路は、前記針担体上で前記第２のフォロワと係合するように、前記第２の流体送達端部領域近くで動作可能に配向される、前述又は後述の請求項のいずれかに記載のディスペンサ。
【請求項１６】
前記カプセル担体本体は円筒形であり、１対の第１のガイド経路及び１対の第２のガイド経路を備え、それぞれの対は前記長手軸に対して対称に配置される、前述又は後述の請求項のいずれかに記載のディスペンサ。
【請求項１７】
前記流体カプセル担体は、横方向流体カプセル受け表面、及び針の上流端部を受けるようにそこから延びる針通路を備える、前述又は後述の請求項のいずれかに記載のディスペンサ。
【請求項１８】
前記プランジャ構造は、前記流体カプセルを加圧するように、前記流体カプセル受け表面に向けて前記第１の段階の少なくとも一部の間に移動し、それによって、前記針を通して前記流体を伝えるプランジャ端部領域を備える、前述又は後述の請求項のいずれかに記載のディスペンサ。
【請求項１９】
前記第１の段階は、少なくとも部分的に、
ａ．前記プランジャ端部領域が前記流体カプセル受け表面に近づくと、前記流体カプセル担体が前記長手軸周りで前記針担体に対して回転可能である第１の回転段階と、
ｂ．少なくとも部分的に前記流体カプセルを加圧するように、前記プランジャ端部領域が前記流体カプセル受け表面に対して軸方向に移動可能である第２の分配段階を含む、前述又は後述の請求項のいずれかに記載のディスペンサ。
【請求項２０】
前記第２の分配段階中に、少なくとも部分的に、前記プランジャ端部領域は、前記流体を分配するように、前記針担体上の針との穿刺接触に向けて、前記流体カプセル受け表面と軸方向に移動可能である、前述又は後述の請求項のいずれかに記載のディスペンサ。
【請求項２１】
前記少なくとも１つの係止構造は、前記ディスペンサ本体が前記係止整列角度位置にある場合に、係止位置で前記ディスペンサ本体を固定する係止インターフェイスを備える、前述又は後述の請求項のいずれかに記載のディスペンサ。
【請求項２２】
前記針担体は、前記第２の分配位置から前記係止位置まで移動するように偏倚される、前述又は後述の請求項のいずれかに記載のディスペンサ。
【請求項２３】
前記係止インターフェイスは、前記ディスペンサが前記係止整列角度位置にある場合に係合するように、前記流体カプセル担体と前記バレルとの間で構成される、前述又は後述の請求項のいずれかに記載のディスペンサ。
【請求項２４】
前記流体カプセル担体から横方向外向きに延びる少なくとも１つのラッチ構造と、前記バレルの内側表面に沿って延び、遷移領域で終端する少なくとも１つの軸方向ラッチ縁部構成とをさらに備えるディスペンサであって、前記ラッチ構造は、前記遷移に向かって及びこれを越えて前記軸方向ラッチ縁部構成に沿って移動し、それによって前記プランジャ構造を解放するように構成される、前述又は後述の請求項のいずれかに記載のディスペンサ。
【請求項２５】
前記少なくとも１つの係止構造及び前記少なくとも１つのラッチ構造はそれぞれ、共通して、前記流体カプセル担体から外向きに延びる１対の係止タブによって画定される、前述又は後述の請求項のいずれかに記載のディスペンサ。
【請求項２６】
前記偏倚は、前記第１及び第２の流体送達端部領域の間で作用する少なくとも１つのばねによって行われる、前述又は後述の請求項のいずれかに記載のディスペンサ。
【請求項２７】
前記係止インターフェイスは、前記針担体から横方向外向きに延びる前記少なくとも１つの係止構造と前記係止位置で前記バレルの表面にわたって横方向に延びる少なくとも１つの横方向係止縁部構成との間に構成され、前記係止構造は、前記係止整列角度位置にある場合に、前記係止位置で前記横方向係止縁部構成に向かって移動し、これと係合するように構成される、前述又は後述の請求項のいずれかに記載のディスペンサ。
【請求項２８】
前記少なくとも１つの係止構造は、前記バレル上の対応する係止縁部構成と係合するように、前記流体カプセル担体から横方向外向きに延びる少なくとも１つの係止タブを備える、前述又は後述の請求項のいずれかに記載のディスペンサ。
【請求項２９】
前記プランジャ構造は、プランジャ及びプランジャ支持体を備え、前記プランジャは前記流体カプセル担体で回転するように、前記プランジャ支持体に対して少なくとも所定の範囲で旋回するように構成される、前述又は後述の請求項のいずれかに記載のディスペンサ。
【請求項３０】
前記流体カプセル担体及び前記プランジャは、少なくとも前記第１の段階中に、前記流体カプセル担体に対する前記プランジャの角度位置を固定するように構成される、前述又は後述の請求項のいずれかに記載のディスペンサ。
【請求項３１】
前記流体カプセル担体及び前記プランジャはさらに、前記プランジャを前記流体カプセル担体と整列させる相補的ガイド構成を備える、前述又は後述の請求項のいずれかに記載のディスペンサ。
【請求項３２】
前記ガイド構成は、前記プランジャ上の少なくとも１つの横方向外向きに延びるタブ、及び前記流体カプセル担体の内側表面に形成された少なくとも１つの長手溝を備える、前述又は後述の請求項のいずれかに記載のディスペンサ。
【請求項３３】
前記プランジャ支持体及び前記針担体は、前記針担体に対する前記プランジャ支持体の角度位置を固定するように構成される、前述又は後述の請求項のいずれかに記載のディスペンサ。
【請求項３４】
前記針担体及び前記プランジャ支持体は、前記長手軸に沿ってプランジャ支持移動経路を形成するように、前記長手軸と整列された相補的構成を備える、前述又は後述の請求項のいずれかに記載のディスペンサ。
【請求項３５】
前記相補的構成は、前記針担体及び前記プランジャ支持体のうちの一方から延び、前記針担体及び前記プランジャ支持体のうちのもう一方で相補的溝構成に受けられる１対のフランジを備える、前述又は後述の請求項のいずれかに記載のディスペンサ。
【請求項３６】
前記プランジャ支持体は、前記バレル上で隣接する端部領域を受ける環状通路を形成するように横方向外向きに間隔をおいて配置されるカバー・フランジを備える、前述又は後述の請求項のいずれかに記載のディスペンサ。
【請求項３７】
前記第１の段階の少なくとも一部を通して前記ディスペンサを操作するように、ユーザが係合するための、前記針担体又は前記バレルから外向きに延びる少なくとも１つのユーザ把持タブをさらに備える、前述又は後述の請求項のいずれかに記載のディスペンサ。
【請求項３８】
前記プランジャ構造が分配位置に到達したことを示す信号を発する信号エミッタをさらに備える、前述又は後述の請求項のいずれかに記載のディスペンサ。
【請求項３９】
前記信号エミッタは、前記バレルと前記ディスペンサ本体との間の信号発生インターフェイスを備える、前述又は後述の請求項のいずれかに記載のディスペンサ。
【請求項４０】
前記信号発生インターフェイスは、少なくとも１つの弾力性タブと、それに整列された少なくとも１つの係止構成とを備え、それぞれ、前記バレル及び前記ディスペンサ本体のうちのそれぞれ１つの上に配置される、前述又は後述の請求項のいずれかに記載のディスペンサ。
【請求項４１】
前記少なくとも１つの弾力性タブは前記プランジャ支持体から延び、前記少なくとも１つの係止構成は前記バレルの内側表面に位置決めされる、前述又は後述の請求項のいずれかに記載のディスペンサ。
【請求項４２】
前記少なくとも１つの弾力性タブは、前記分配位置での少なくとも１つの係止構成で定位置に係止される、前述又は後述の請求項のいずれかに記載のディスペンサ。
【請求項４３】
前記分配位置で前記バレルに対して前記ディスペンサ本体を係止する係止インターフェイスをさらに備える、前述又は後述の請求項のいずれかに記載のディスペンサ。
【請求項４４】
前記係止インターフェイスは、少なくとも１つの弾力性タブ、及びそこに整列されたボスを備え、それぞれ、前記バレル及び前記本体のうちのそれぞれ１つの上に配置される、前述又は後述の請求項のいずれかに記載のディスペンサ。
【請求項４５】
前記弾力性タブは、前記プランジャ支持体から延び、前記ボスは、前記バレルの内側表面に位置決めされる、前述又は後述の請求項のいずれかに記載のディスペンサ。
【請求項４６】
前記プランジャ支持体、前記針担体及び／又は前記バレルは、その間の回転移動を阻止するためにガイド・インターフェイスを形成する構成を備える、前述又は後述の請求項のいずれかに記載のディスペンサ。
【請求項４７】
前記ガイド・インターフェイスは、前記バレル上で拡張部分を受ける少なくとも１つの支持通路を備える、前述又は後述の請求項のいずれかに記載のディスペンサ。
【請求項４８】
前記プランジャ支持体は、対称に対向して周方向に拡張された１対のウェブを備え、それぞれ、対応する対の支持通路のうちの１つの外周を画定する、前述又は後述の請求項のいずれかに記載のディスペンサ。
【請求項４９】
前記針担体は、前記プランジャ支持体上で対応する表面と係合する、１対の対向及び周方向断面ガイド部を備える、前述又は後述の請求項のいずれかに記載のディスペンサ。
【請求項５０】
ａ．第１の流体送達端部領域で終端する長手軸を画定するバレルと、
ｂ．前記第１の流体分配端部領域に対して前記バレルに沿って移動可能な本体であって、
ｉ．前記長手軸と整列され、第１の分配位置で前記第１の流体送達端部領域を通して突出するように構成される下流側端部を有する針が配置された第２の流体送達端部領域で終端する針担体、
ｉｉ．前記長手軸と整列され、前記針担体に対して軸方向に移動可能なプランジャ構造、及び
ｉｉｉ．流体カプセルを受けるように構成され、前記長手軸と整列され、前記針担体と前記プランジャ構造に対して軸方向に移動可能な流体カプセル担体、
ｉｖ．前記針担体に対して移動するように前記プランジャ構造を解放するために、前記バレルと前記本体との間の圧縮力の作用を受けて動作可能なラッチ・インターフェイス、及び
ｖ．分配モードでは、前記流体カプセルとの前記針の穿刺接触に向かって移動するように構成される流体カプセル担体を含む、
本体と
を備えた流体ディスペンサ。
【請求項５１】
前記流体カプセル担体は、前記分配モードの少なくとも一部では、前記プランジャ構造で移動するように構成される、前述又は後述の請求項のいずれかに記載のディスペンサ。
【請求項５２】
前記分配モードの少なくとも一部の間に、前記流体カプセル担体は、係止非整列及び係止整列角度位置の間で軸方向に回転するように構成される、前述又は後述の請求項のいずれかに記載のディスペンサ。
【請求項５３】
前記流体カプセル担体、及び前記プランジャ構造及び前記針担体のうちの少なくとも一方の上にそれぞれ、複数の協働要素を含む少なくとも１つの回転インターフェイスをさらに備える、前述又は後述の請求項のいずれかに記載のディスペンサ。
【請求項５４】
前記少なくとも１つの回転インターフェイスは、それぞれ対応する第１のセットの第１の協働要素のうちの１つを備えた、前記流体カプセル担体と前記プランジャ構造との間に設けられた第１の回転インターフェイスを備える、前述又は後述の請求項のいずれかに記載のディスペンサ。
【請求項５５】
前記少なくとも１つの回転インターフェイスは、それぞれ対応する第２のセットの第２の協働要素のうちの１つを備えた、前記流体カプセル担体と針担体との間に設けられた第２の回転インターフェイスを備える、前述又は後述の請求項のいずれかに記載のディスペンサ。
【請求項５６】
前記第１及び／又は第２の協働要素は、少なくとも１つのガイド経路と、前記ガイド経路に沿って移動する少なくとも１つのフォロワとを備える、前述又は後述の請求項のいずれかに記載のディスペンサ。
【請求項５７】
前記ガイド経路は傾斜する、前述の請求項のいずれかに記載のディスペンサ。
【請求項５８】
前記第１及び／第２のセットの協働要素の前記フォロワは、フォロワ・ガイド経路を備える、前述又は後述の請求項のいずれかに記載のディスペンサ。
【請求項５９】
前記流体カプセル担体は、そこを通して前記プランジャ構造を受けるように、前記第２の流体送達端部領域に対向する開口端部領域を有するカプセル担体本体を備える、前述又は後述の請求項のいずれかに記載のディスペンサ。
【請求項６０】
少なくとも１つの第１のガイド経路は、前記プランジャ構造上で前記第１のフォロワと係合するように、前記開口端部領域の近くで動作可能に配向され、少なくとも１つの第２のガイド経路は、前記針担体上で前記第２のフォロワと係合するように、前記第２の流体送達端部領域近くで動作可能に配向される、前述又は後述の請求項のいずれかに記載のディスペンサ。
【請求項６１】
前記カプセル担体本体は円筒形であり、１対の第１のガイド経路及び１対の第２のガイド経路を備え、それぞれの対は前記長手軸に対して対称に配置される、前述又は後述の請求項のいずれかに記載のディスペンサ。
【請求項６２】
前記流体カプセル担体は、流体カプセル受け表面、及び第１の分配位置で前記針の前記上流端部を受けるようにそこから延びる針通路を備え、前記プランジャ構造は、分配モード中に、前記流体カプセル受け表面に隣接する第２の分配位置に向けて移動し、前記流体カプセルを加圧するようにそれと協働し、それによって、前記針を通して前記流体を伝えるプランジャ端部領域を備える、前述又は後述の請求項のいずれかに記載のディスペンサ。
【請求項６３】
前記分配モードは、少なくとも部分的に、
ａ．前記プランジャ端部領域が前記流体カプセル受け表面に近づくと、前記流体カプセル担体が前記長手軸周りで前記針担体に対して回転する第１の回転段階と、
ｂ．少なくとも部分的に前記流体カプセルを加圧し、前記流体を分配するように、前記プランジャ端部領域が前記流体カプセル受け表面に対して軸方向に移動可能である第２の分配段階と
を含む、前述又は後述の請求項のいずれかに記載のディスペンサ。
【請求項６４】
前記第２の分配段階中に、少なくとも部分的に、前記プランジャ端部領域は、前記流体を分配するように、前記針担体上の針との穿刺接触に向けて、前記流体カプセル受け表面と軸方向に移動可能である、前述又は後述の請求項のいずれかに記載のディスペンサ。
【請求項６５】
前記流体カプセル担体が前記係止整列角度位置にある場合に、係止位置で前記本体を固定する係止インターフェイスをさらに備える、前述又は後述の請求項のいずれかに記載のディスペンサ。
【請求項６６】
前記針担体は、前記第２の分配位置から前記係止位置まで移動するように偏倚される、前述又は後述の請求項のいずれかに記載のディスペンサ。
【請求項６７】
前記偏倚は、前記第１及び第２の流体送達端部領域の間で作用する少なくとも１つのばねによって行われる、前述又は後述の請求項のいずれかに記載のディスペンサ。
【請求項６８】
前記流体カプセル担体から横方向外向きに延びる少なくとも１つの係止タブと、前記バレルの内側表面に沿って延び、遷移領域で終端する少なくとも１つの軸方向ラッチ縁部構成との間に構成されるラッチ・インターフェイスをさらに備えるディスペンサであって、前記係止タブは、前記遷移領域に向かって及びこれを越えて圧縮力の作用により前記軸方向係止縁部構成に沿って移動し、それによって前記流体カプセル担体に対する移動のために前記プランジャ構造を解放するように構成される、前述又は後述の請求項のいずれかに記載のディスペンサ。
【請求項６９】
前記係止インターフェイスは、前記流体カプセル担体から横方向外向きに延びる少なくとも１つの係止タブと、前記係止位置で前記バレルの内側表面にわたって横方向に延びる少なくとも１つの横方向係止縁部構成との間に構成され、前記係止タブは前記係止整列角度位置にある場合に、前記係止位置で前記横方向係止縁部構成に向かって移動し、これと係合するように構成される、前述又は後述の請求項のいずれかに記載のディスペンサ。
【請求項７０】
前記少なくとも１つの係止タブは、前記流体カプセル担体から横方向外向きに延びる１対の係止タブを備える、前述又は後述の請求項のいずれかに記載のディスペンサ。
【請求項７１】
前記プランジャ構造は、プランジャ及びプランジャ支持体を備え、前記プランジャは前記流体カプセル担体で回転するように、前記プランジャ支持体に対して少なくとも所定の範囲で旋回するように構成される、前述又は後述の請求項のいずれかに記載のディスペンサ。
【請求項７２】
前記流体カプセル担体及び前記プランジャは、少なくとも前記分配モード中に、前記流体カプセル担体に対する前記プランジャの角度位置を固定するように構成される、前述又は後述の請求項のいずれかに記載のディスペンサ。
【請求項７３】
前記流体カプセル担体及び前記プランジャはさらに、相補的ガイド構成を備える、前述又は後述の請求項のいずれかに記載のディスペンサ。
【請求項７４】
前記ガイド構成は、前記プランジャ上の少なくとも１つの横方向外向きに延びるタブ、及び前記流体カプセル担体の内側表面に形成された少なくとも１つの長手溝を備える、前述又は後述の請求項のいずれかに記載のディスペンサ。
【請求項７５】
前記プランジャ支持体及び前記針担体は、前記分配モードにおける、前記針担体に対する前記プランジャ支持体の角度位置を固定するように構成される、前述又は後述の請求項のいずれかに記載のディスペンサ。
【請求項７６】
前記針担体及び前記プランジャ支持体は、前記長手軸に沿ってプランジャ支持移動経路を形成するように、前記長手軸と整列された相補的構成を備える、前述又は後述の請求項のいずれかに記載のディスペンサ。
【請求項７７】
前記相補的構成は、前記針担体から前記プランジャ支持体に向かって延び、前記プランジャ支持体で相補的溝構成に受けられる１対のフランジを備える、前述又は後述の請求項のいずれかに記載のディスペンサ。
【請求項７８】
前記プランジャ支持体は、前記バレル上で隣接する端部領域を受ける環状通路を形成するように横方向外向きに間隔をおいて配置されるカバー・フランジを備える、前述又は後述の請求項のいずれかに記載のディスペンサ。
【請求項７９】
前記分配モードの少なくとも一部を通して前記ディスペンサを操作するように、ユーザが係合するための、前記針担体又は前記バレルから外向きに延びる少なくとも１つのユーザ把持タブをさらに備える、前述又は後述の請求項のいずれかに記載のディスペンサ。
【請求項８０】
前記プランジャ構造が前記第２の分配位置に到達したことを示す信号を発する信号エミッタをさらに備える、前述又は後述の請求項のいずれかに記載のディスペンサ。
【請求項８１】
前記信号エミッタは、前記バレルと前記本体との間の信号発生インターフェイスを備える、前述又は後述の請求項のいずれかに記載のディスペンサ。
【請求項８２】
前記信号発生インターフェイスは、少なくとも１つの弾力性タブと、それに整列された少なくとも１つの係止構成とを備え、それぞれ、前記バレル及び前記ディスペンサ本体のうちのそれぞれ１つの上に配置される、前述又は後述の請求項のいずれかに記載のディスペンサ。
【請求項８３】
前記弾力性タブは前記プランジャ支持体から延び、少なくとも１つの係止構成は前記バレルの内側表面に位置決めされる、前述又は後述の請求項のいずれかに記載のディスペンサ。
【請求項８４】
前記弾力性タブは、前記第２の分配位置での前記少なくとも１つの係止構成で定位置に係止される、前述又は後述の請求項のいずれかに記載のディスペンサ。
【請求項８５】
前記第２の分配位置で前記バレルに対して前記本体を係止する係止インターフェイスをさらに備える、前述又は後述の請求項のいずれかに記載のディスペンサ。
【請求項８６】
前記係止インターフェイスは、少なくとも１つの弾力性タブ、及びそこに整列されたボスを備え、それぞれ、前記バレル及び前記本体のうちのそれぞれ１つの上に配置される、前述又は後述の請求項のいずれかに記載のディスペンサ。
【請求項８７】
前記弾力性タブは、前記プランジャ支持体から延び、前記ボスは、前記バレルの内側表面に位置決めされる、前述又は後述の請求項のいずれかに記載のディスペンサ。
【請求項８８】
前記プランジャ支持体、前記針担体及び／又は前記バレルは、その間の移動を案内するためにガイド・インターフェイスを形成する構成を備える、前述又は後述の請求項のいずれかに記載のディスペンサ。
【請求項８９】
前記ガイド・インターフェイスは、前記バレル上で拡張部分を受ける少なくとも１つの支持通路を備える、前述又は後述の請求項のいずれかに記載のディスペンサ。
【請求項９０】
前記プランジャ支持体は、対称に対向して周方向に拡張された１対のウェブを備え、それぞれ、対応する対の支持通路のうちの１つの外周を画定する、前述又は後述の請求項のいずれかに記載のディスペンサ。
【請求項９１】
前記針担体は、前記プランジャ支持体上で対応する表面と係合する、１対の対向及び周方向断面ガイド部を備える、前述又は後述の請求項のいずれかに記載のディスペンサ。
【請求項９２】
長手軸を画定し、第１の流体送達端部領域で終端するバレルと、前記第１の流体送達端部領域に対して前記バレルに沿って移動可能であり、針担体、その間のプランジャ及び流体カプセル担体を備えた本体と、前記本体と前記バレルとの間にあるラッチ・インターフェイスであって、流体送達部位で前記バレルの圧縮係合によって生じるそれら間の解放力に反応して、前記プランジャ及び前記流体カプセル担体を前記針担体に向かって移動させて、前記針担体上での針の上流端部が前記流体カプセル担体のカプセル担持領域内に延び、前記針の下流端部がそこへの流体の送達のために第１の流体送達端部領域を通して突出して延びる分配構成へと至らせることを可能にするラッチ・インターフェイスとを備えた流体ディスペンサ。
【請求項９３】
分配端部で終端する長手軸を画定するバレルと、前記分配端部に対して前記バレルに沿って移動可能であり、針担体、プランジャ及び前記針担体と前記プランジャに対して移動可能な流体カプセル担体を備えたディスペンサ本体と、前記バレルと前記ディスペンサ本体との間の解放力に応じた前記バレル内の移動のために前記ディスペンサ本体を解放するように構成されるラッチ・インターフェイスとを備える流体ディスペンサ。
【請求項９４】
分配端部で終端する長手軸を画定するバレルと、前記分配端部に対して前記バレルに沿って移動可能であり、針担体、プランジャ及び前記針担体と前記プランジャに対して移動可能な流体カプセル担体を備えたディスペンサ本体と、流体送達部位での前記分配端部の圧縮係合に応じた前記バレル内の移動を分配するために前記ディスペンサ本体を解放するように構成されるラッチ・インターフェイスとを備える流体ディスペンサ。
【請求項９５】
第１のカプセル加圧モードで流体カプセル加圧区域を形成するように構成される流体カプセル・レシーバと、流体送達針を支持する針担体であって、前記針担体及び前記流体カプセル・レシーバが第２の流体カプセル穿刺モードで加圧された前記流体カプセルを穿刺するように前記流体カプセル加圧区域内に前記針を延ばすように構成される、針担体と、前記流体カプセル・レシーバ及び前記針担体を含む本体であって、前記流体カプセル・レシーバ及び前記針担体は第３の流体送達モードで前記針の流体送達端部を露出させるために前記本体に沿って移動するように構成される、本体とを備えた流体ディスペンサ。
【請求項９６】
前記流体カプセル・レシーバはプランジャ及び流体カプセル担体を備え、前記プランジャ及び前記流体カプセル担体は、その間に前記流体カプセルを配置する相補的表面を有する、前述又は後述の請求項のいずれかに記載のディスペンサ。
【請求項９７】
前記プランジャを支持するプランジャ支持体と、前記プランジャ支持体及び前記本体の間の実質的に一定の大きさで圧縮力を加えながら、前記第１、第２及び／又は第３のモードで前記流体カプセル担体に対する前記プランジャの変位を可能にするように、前記プランジャ支持体、前記流体カプセル担体、前記針担体及び／又は前記本体の間で動作可能な少なくとも１つのインターフェイスとをさらに備える、前述又は後述の請求項のいずれかに記載のディスペンサ。
【請求項９８】
流体を流体カプセルから分配する方法であって、
ａ．流体カプセルを流体カプセル支持表面に配置するステップと、
ｂ．前記流体カプセルとの係合に向けて軸に沿ってプランジャを変位させるステップと、
ｃ．前記流体カプセル支持表面に対する前記流体カプセルの膜が張力を加えた針受け構成であるように、前記流体カプセルを前記プランジャと前記流体カプセル支持表面との間で加圧するステップと、
ｄ．流体送達針のカプセル穿刺端部を前記流体カプセル支持表面を通して延ばし、前記膜を貫通して、前記針を通して流体の分配を開始させるために、針支持体に向けて前記針受け構成において前記流体カプセルで前記プランジャ及び前記流体カプセル支持体を変位させるステップと、
ｅ．分配位置を貫通するように露出された前記針の反対側の流体送達端部で流体送達構成に向けて前記プランジャ、前記流体カプセル支持体及び前記針支持体を前進させるステップとを含む方法。
【請求項９９】
分配デバイスをそこからの流体の送達後に固定する方法であって、第１の流体送達端部領域で終端する長手軸を画定するバレルと、分配前構成と分配構成との間の第１の段階内、及び前記分配構成と係止された分配後構成との間の第２の段階内の前記第１の流体送達端部領域に対する前記バレルに沿って移動可能なディスペンサ本体を提供するステップを含み、前記ディスペンサ本体は、少なくとも部分的に、前記第２の段階での移動中に少なくとも１つの係止構造と整列された配向を求めて第１の段階中に前記長手軸周りに回転するように構成される、方法。
【請求項１００】
分配デバイスをそこからの流体の送達後に固定する方法であって、
ａ．第１の流体送達端部領域で終端する長手軸を画定するバレル、及び前記第１の流体送達端部領域に対して前記バレルに沿って移動可能なディスペンサ本体を提供するステップと、
ｂ．分配前構成と分配構成との間の第１の段階内、及び前記分配構成と係止された分配後構成との間の第２の段階内で前記ディスペンサ本体を変位させるステップであって、前記ディスペンサ本体は、前記第２の段階での移動中に少なくとも１つの係止構造と整列された配向を求めて前記第１の段階及び／又は前記第２の段階中に、少なくとも部分的に、前記長手軸周りに回転される、ステップと
を含む方法。
【請求項１０１】
第１の流体送達端部領域で終端する長手軸を画定するバレルと、分配前構成と分配構成との間の第１の段階内、及び前記分配構成と係止された分配後構成との間の第２の段階内の前記第１の流体送達端部領域に対する前記バレルに沿って移動可能なディスペンサ本体とを備えた流体ディスペンサであって、前記ディスペンサ本体は、前記第２の段階での移動中に前記係止された分配後構成に前記ディスペンサ本体を係止するように構成される少なくとも１つの係止構造と整列された配向を求めて前記第１の段階及び／又は前記第２の段階中に前記長手軸周りに回転するように構成される、流体ディスペンサ。
【請求項１０２】
第１の流体送達端部領域で終端する長手軸を画定するハウジング手段と、分配前構成と分配構成との間の第１の段階内、及び前記分配構成と係止された分配後構成との間の第２の段階内の前記第１の流体送達端部領域に対する前記ハウジング手段に沿って移動可能な分配手段とを備えた流体ディスペンサであって、前記分配手段は、前記第２の段階での移動中に少なくとも１つの係止手段と整列された配向を求めて前記第１の段階及び／又は前記第２の段階中に前記長手軸周りに回転するように構成される、流体ディスペンサ。
【請求項１０３】
第１の流体送達端部領域で終端する長手軸を画定するハウジング手段と、分配前構成と分配構成との間の第１の段階内、及び前記分配構成と係止された分配後構成との間の第２の段階内の前記第１の流体送達端部領域に対する前記ハウジング手段に沿って移動可能な分配手段とを備えた流体ディスペンサであって、前記分配手段は、前記第２の段階での移動中に少なくとも１つの係止手段と整列された配向を求めて前記第１の段階中に長手軸周りに回転するように構成される、流体ディスペンサ。
【請求項１０４】
前記分配手段は、その上に画定された第２の流体送達端部領域を有する針支持手段を備える、前述又は後述の請求項のいずれかに記載のディスペンサ。
【請求項１０５】
前記分配手段は、運ばれたカプセルから流体を分配するように、前記第１の段階の少なくとも一部で前記針支持手段に対して移動可能な流体カプセル担体手段を備える、前述又は後述の請求項のいずれかに記載のディスペンサ。
【請求項１０６】
前記分配手段は、運ばれたカプセルを加圧するように、前記第１の段階の少なくとも一部で前記流体カプセル担体手段に対して移動可能なプランジャ手段を備える、前述又は後述の請求項のいずれかに記載のディスペンサ。
【請求項１０７】
前記針支持手段は、前記係止された分配後構成で前記ハウジング手段内に収縮される、前述又は後述の請求項のいずれかに記載のディスペンサ。
【請求項１０８】
前記流体カプセル担体手段は、前記第１の段階の少なくとも一部の間に、前記プランジャ手段で移動するように構成される、前述又は後述の請求項のいずれかに記載のディスペンサ。
【請求項１０９】
前記第１の段階の少なくとも一部の間に、前記流体カプセル担体手段は、係止非整列及び係止整列角度位置の間で軸方向に回転するように構成される、前述又は後述の請求項のいずれかに記載のディスペンサ。
【請求項１１０】
前記流体カプセル担体手段と、前記プランジャ手段及び前記針支持手段のうちの少なくとも１つとの間に設けられた少なくとも１つの回転手段をさらに備える、前述又は後述の請求項のいずれかに記載のディスペンサ。
【請求項１１１】
前記少なくとも１つの回転手段は、前記流体カプセル担体手段と前記プランジャ手段との間に設けられた第１の回転手段を備える、前述又は後述の請求項のいずれかに記載のディスペンサ。
【請求項１１２】
前記少なくとも１つの回転手段は前記、流体カプセル担体手段と前記針支持手段との間に設けられた第２の回転手段を備える、前述又は後述の請求項のいずれかに記載のディスペンサ。
【請求項１１３】
前記カプセル担体手段は、前記プランジャ手段によって中で加圧されるように流体カプセルを受けるように構成され、流体カプセル担体手段は、第１の分配位置で、前記針支持手段上で針の上流端部を受け、加圧されると前記流体カプセルを貫通するように構成され、前記プランジャ手段は、前記第１の送達端部領域で前記針を通して前記流体を伝えるように分配位置に向けて前記流体カプセル担体手段で移動するように構成される、前述又は後述の請求項のいずれかに記載のディスペンサ。
【請求項１１４】
前記第１の段階は、少なくとも部分的に、
ａ．前記プランジャ手段が前記流体カプセル担体手段に近づくと、前記流体カプセル担体手段が前記長手軸周りで前記針担体手段に対して回転可能である第１の回転段階と、
ｂ．前記カプセルを加圧し、前記流体を分配するように、前記分配位置に向かって、前記プランジャ手段が前記流体カプセル担体手段に対して軸方向に移動可能である第２の分配段階と
を含む、前述又は後述の請求項のいずれかに記載のディスペンサ。
【請求項１１５】
前記第２の分配段階中に、少なくとも部分的に、前記プランジャ手段は、前記流体を分配するように、前記針担体手段上の針手段との穿刺接触に向けて、前記流体カプセル担体手段と軸方向に移動可能である、前述又は後述の請求項のいずれかに記載のディスペンサ。
【請求項１１６】
前記少なくとも１つの係止手段は、前記流体カプセル担体手段が前記係止整列角度位置にある場合に、係止位置で前記流体カプセル担体手段を固定するように構成され、前記針支持手段は、前記分配位置から前記係止位置まで移動するように偏倚される、前述又は後述の請求項のいずれかに記載のディスペンサ。
【請求項１１７】
前記少なくとも１つの係止手段は、前記分配手段が前記係止整列角度位置にある場合に係合するように、前記流体カプセル担体手段と前記ハウジング手段との間で構成される、前述又は後述の請求項のいずれかに記載のディスペンサ。
【請求項１１８】
前記偏倚は、前記第１及び第２の流体送達端部領域の間で作用する少なくとも１つの偏倚手段によって行われる、前述又は後述の請求項のいずれかに記載のディスペンサ。
【請求項１１９】
前記遷移に向かう及びこれを越えた前記長手軸に沿った前記分配手段の相対的移動の後に、遷移領域で前記分配手段を解放し、それによって前記プランジャ手段を解放するように構成されるラッチ手段をさらに備える、前述又は後述の請求項のいずれかに記載のディスペンサ。
【請求項１２０】
本明細書に図示及び記載した方法。
【請求項１２１】
本明細書に図示及び記載したディスペンサ。
【発明の詳細な説明】
【技術分野】
【０００１】
「ＤＲＵＧ  ＤＥＬＩＶＥＲＹ  ＤＥＶＩＣＥ（薬物送達デバイス）」という名称の２０１６年１１月２８日出願の米国特許出願第１５／３６１，６５４号、「ＤＲＵＧ  ＤＥＬＩＶＥＲＹ  ＤＥＶＩＣＥ（薬物送達デバイス）」という名称の２０１６年１２月１５日出願の米国仮特許出願第６２／４３４，７６０号、及び「ＤＲＵＧ  ＤＥＬＩＶＥＲＹ  ＤＥＶＩＣＥ（薬物送達デバイス）」という名称の２０１７年２月２３日出願の米国仮特許出願第６２／４６２，４９７号のそれぞれの出願の際に提出された文書を含む主題全体を、本明細書に参照によって完全に組み込む。
【０００２】
本開示は、流体送達デバイス及び方法、例えば、皮内薬物送達デバイス及び方法に関する。
【背景技術】
【０００３】
取り扱いの容易性及び医療専門家の安全性を良くしながら不快感を減らすために、薬物送達技術を改善する確立された需要がある。米国特許出願公開第２０１４−０２０７０７８Ａ１号公報で公開された上記出願第１４／５６２，９７４号は、この需要に対処するためのいくつかの解決法を開示する。
【発明の概要】
【発明が解決しようとする課題】
【０００４】
本開示は、知られている技術の少なくともいくつかの欠点を克服する、又は１つ又は複数の有用な代替物を少なくとも提供する別の新規の解決法を提供することを目的とする。
【課題を解決するための手段】
【０００５】
後述では、本発明のいくつかの態様の基本的理解を行うため、全体的な発明概念の単純化した要約を示す。この要約は、本発明の広範囲の概念ではない。本発明の重要な又は重大な要素を制限したり、本発明の範囲を説明したりすることを意図したものではない。さらに、本明細書の図、節及び／又は特許請求の範囲を含む本開示に記載されたあらゆる態様及び／又は例示的実施例のいずれか１つの要素、機構、構造、機能は、本明細書の図、節及び／又は特許請求の範囲を含む本開示に記載された同じ又はあらゆる他の態様及び／又は例示的実施例からのあらゆる１つ又は複数の要素、機構、構造、機能及び／又はステップと組み合わせることができる。
【０００６】
一態様では、第１の流体送達端部領域で終端する長手軸を画定するバレルと、分配前構成と分配構成との間の第１の段階内、及び分配構成と係止された分配後構成との間の第２の段階内の第１の流体送達端部領域に対するバレルに沿って移動可能なディスペンサ本体とを備えた流体ディスペンサが提供され、ディスペンサ本体は、第２の段階での移動中に係止された分配後構成にディスペンサ本体を係止するように構成される少なくとも１つの係止構造と整列された配向を求めて第１の段階中に長手軸周りに回転するように構成される。
【０００７】
別の態様では、
ａ．第１の流体送達端部領域で終端する長手軸を画定するバレルと、
ｂ．第１の流体送達端部領域に対してバレルに沿って移動可能な本体であって、
ｉ．長手軸と整列され、第１の分配位置で第１の流体送達端部領域を通して突出するように構成される下流側端部を有する針が配置された第２の流体送達端部領域で終端する針担体、
ｉｉ．長手軸と整列され、針担体に対して軸方向に移動可能なプランジャ構造、及び
ｉｉｉ．流体カプセルを受けるように構成され、長手軸と整列され、針担体とプランジャ構造に対して軸方向に移動可能な流体カプセル担体、
ｉｖ．針担体に対して移動するようにプランジャ構造を解放するために、バレルと本体との間の圧縮力の作用を受けて動作可能なラッチ・インターフェイス、及び
ｖ．分配モードでは、流体カプセルとの針の穿刺接触に向かって移動するように構成される流体カプセル担体を含む、本体と
を備えた流体ディスペンサが提供される。
【０００８】
別の態様では、長手軸を画定し、第１の流体送達端部領域で終端するバレルと、第１の流体送達端部領域に対してバレルに沿って移動可能であり、針担体、その間のプランジャ及び流体カプセル担体を備えた本体と、本体とバレルとの間にあるラッチ・インターフェイスであって、流体送達部位でバレルの圧縮係合によって生じるそれら間の解放力に反応して、プランジャ及び流体カプセル担体を針担体に向かって移動させて、針担体上での針の上流端部が流体カプセル担体のカプセル担持領域内に延び、針の下流端部がそこへの流体の送達のために第１の流体送達端部領域を通して突出して延びる分配構成へと至らせることを可能にするラッチ・インターフェイスとを備えた流体ディスペンサが提供される。
【０００９】
別の態様では、分配端部で終端する長手軸を画定するバレルと、分配端部に対してバレルに沿って移動可能であり、針担体、プランジャ及び針担体とプランジャに対して移動可能な流体カプセル担体を備えたディスペンサ本体と、バレルと分配本体との間の解放力に応じたバレル内の移動のためにディスペンサ本体を解放するように構成されるラッチ・インターフェイスとを備えた流体ディスペンサが提供される。
【００１０】
別の態様では、分配端部で終端する長手軸を画定するバレルと、分配端部に対してバレルに沿って移動可能であり、針担体、プランジャ及び針担体とプランジャに対して移動可能な流体カプセル担体を備えたディスペンサ本体と、流体送達部位での分配端部の圧縮係合に応じたバレル内の移動を分配するためにディスペンサ本体を解放するように構成されるラッチ・インターフェイスとを備えた流体ディスペンサが提供される。
【００１１】
別の態様では、第１のカプセル加圧モードで流体カプセル加圧区域を形成するように構成される流体カプセル・レシーバと、流体送達針を支持する針担体であって、針担体及び流体カプセル・レシーバが第２の流体カプセル穿刺モードで加圧された流体カプセルを穿刺するように流体カプセル加圧区域内に針を延ばすように構成される、針担体と、流体カプセル・レシーバ及び針担体を含む本体であって、流体カプセル・レシーバ及び針担体は第３の流体送達モードで針の流体送達端部を露出させるために本体に沿って移動するように構成される、本体とを備えた流体ディスペンサが提供される。
【００１２】
別の態様では、
流体カプセル支持表面上に流体カプセルを配置するステップと、
流体カプセルとの係合に向かって軸に沿ってプランジャを変位させるステップと、
流体カプセル支持表面に対する流体カプセルの膜が張力針受け構成であるように、プランジャと流体カプセル支持表面との間で流体カプセルを加圧するステップと、
上に流体送達針のカプセル穿刺端部に、膜を貫通して針を通して流体の分配を開始するために流体カプセル支持表面を通して延ばすように、針支持体に向かう針受け構成において流体カプセルでプランジャ及び流体カプセル支持体を変位させるステップと、
送達位置を貫通するように露出された針の反対側の流体送達端部で、流体送達構成に向かいプランジャ、流体カプセル支持体及び針支持体を前進させるステップ
とを含む、流体カプセルから流体を分配する方法が提供される。
【００１３】
別の態様では、分配デバイスをそこからの流体の送達後に固定する方法であって、第１の流体送達端部領域で終端する長手軸を画定するバレルと、分配前構成と分配構成との間の第１の段階内、及び分配構成と係止された分配後構成との間の第２の段階内の第１の流体送達端部領域に対するバレルに沿って移動可能なディスペンサ本体を提供するステップを含む方法が提供され、ディスペンサ本体は、第２の段階での移動中に少なくとも１つの係止構造と整列された配向を求めて第１の段階中に少なくとも部分的に長手軸周りに回転するように構成される。
【００１４】
別の態様では、分配デバイスをそこからの流体の送達後に固定する方法であって、
第１の流体送達端部領域で終端する長手軸を画定するバレル、及び第１の流体送達端部領域に対してバレルに沿って移動可能なディスペンサ本体を提供するステップと、
分配前構成と分配構成との間の第１の段階内、及び分配構成と係止された分配後構成との間の第２の段階内でディスペンサ本体を変位させるステップであって、ディスペンサ本体は、第２の段階での移動中に少なくとも１つの係止構造と整列された配向を求めて第１の段階及び／又は第２の段階中に、少なくとも部分的に、長手軸周りに回転される、ステップと
を含む方法が提供される。
【００１５】
別の態様では、第１の流体送達端部領域で終端する長手軸を画定するバレルと、分配前構成と分配構成との間の第１の段階内、及び分配構成と係止された分配後構成との間の第２の段階内の第１の流体送達端部領域に対するバレルに沿って移動可能なディスペンサ本体とを備えた流体ディスペンサが提供され、ディスペンサ本体は、第２の段階での移動中に係止された分配後構成にディスペンサ本体を係止するように構成される少なくとも１つの係止構造と整列された配向を求めて第１の段階及び／又は第２の段階中に長手軸周りに回転するように構成される。
【００１６】
別の態様では、第１の流体送達端部領域で終端する長手軸を画定するハウジング手段と、分配前構成と分配構成との間の第１の段階内、及び分配構成と係止された分配後構成との間の第２の段階内の第１の流体送達端部領域に対するハウジング手段に沿って移動可能な分配手段とを備えた流体ディスペンサが提供され、分配手段は、第２の段階での移動中に少なくとも１つの係止手段と整列された配向を求めて第１の段階及び／又は第２の段階中に長手軸周りに回転するように構成される。
【００１７】
別の態様では、第１の流体送達端部領域で終端する長手軸を画定するハウジング手段と、分配前構成と分配構成との間の第１の段階内、及び分配構成と係止された分配後構成との間の第２の段階内の第１の流体送達端部領域に対するハウジング手段に沿って移動可能な分配手段とを備えた流体ディスペンサが提供され、分配手段は、第２の段階での移動中に少なくとも１つの係止手段と整列された配向を求めて第１の段階中に長手軸周りに回転するように構成される。
【００１８】
いくつかの例示的実施例が、添付の図面を参照して、単に例として提供される。
【図面の簡単な説明】
【００１９】
【図１】ディスペンサの側面図である。
【図２】ディスペンサの断面図である。
【図３】ディスペンサの組立図である。
【図４】ディスペンサの組立図である。
【図５】異なる構成の図１のディスペンサの側面図である。
【図６】異なる構成の図１のディスペンサの断面図である。
【図７】異なる構成の図１のディスペンサの側面図である。
【図８】異なる構成の図１のディスペンサの断面図である。
【図９】異なる構成の図１のディスペンサの側面図である。
【図１０】異なる構成の図１のディスペンサの断面図である。
【図１１】図１のディスペンサの構造の斜視図である。
【図１２】図１のディスペンサの構造の側面組立図である。
【図１２ａ】図１２に示す構造の上平面図である。
【図１３】図１のディスペンサの構造の側面組立図である。
【図１４】図１のディスペンサの構造の斜視図である。
【図１５】図１のディスペンサの構造の側面図である。
【図１５ａ】図１５に示す構造の上平面図である。
【図１６】図１のディスペンサの構造の側面図である。
【図１７】図１のディスペンサの構造の斜視図である。
【図１８】図１のディスペンサの構造の側面図である。
【図１８ａ】図１８に示す構造の上平面図である。
【図１９】図１のディスペンサの構造の側面図である。
【図１９ａ】図１９に示す構造の上平面図である。
【図２０】図１のディスペンサの構造の斜視図である。
【図２１】図１のディスペンサの構造の側面図である。
【図２１ａ】図２１に示す構造の上平面図である。
【図２１ｂ】図２１に示す構造の底平面図である。
【図２２】図１のディスペンサの構造の側面図である。
【図２３】図１のディスペンサの構造の側面図である。
【図２４】図１のディスペンサの構造の側面図である。
【図２５】図１のディスペンサの構造の斜視図である。
【図２６】図１のディスペンサの構造の斜視図である。
【図２７】図１のディスペンサの構造の斜視図である。
【図２８】図１のディスペンサの構造の斜視図である。
【図２９】図１のディスペンサの構造の斜視図である。
【図３０】図１のディスペンサの構造の斜視図である。
【図３１】図１のディスペンサの構造の斜視図である。
【図３２】図１のディスペンサの追加の機構を示す断面図である。
【図３３】図１のディスペンサの追加の機構を示す断面図である。
【図３４】図１のディスペンサの追加の機構を示す断面図である。
【図３５】図１のディスペンサの追加の機構を示す断面図である。
【図３６】別のディスペンサ及び／又は構造を示す図である。
【図３７】別のディスペンサ及び／又は構造を示す図である。
【図３８】別のディスペンサ及び／又は構造を示す図である。
【図３９】別のディスペンサ及び／又は構造を示す図である。
【図４０】別のディスペンサ及び／又は構造を示す図である。
【図４１】別のディスペンサ及び／又は構造を示す図である。
【図４２】別のディスペンサ及び／又は構造を示す図である。
【図４３】別のディスペンサ及び／又は構造を示す図である。
【図４４】別のディスペンサ及び／又は構造を示す図である。
【図４５】別のディスペンサ及び／又は構造を示す図である。
【図４６】別のディスペンサ及び／又は構造を示す図である。
【図４７】別のディスペンサ及び／又は構造を示す図である。
【図４８】別のディスペンサ及び／又は構造を示す図である。
【図４９】別のディスペンサ及び／又は構造を示す図である。
【図５０】別のディスペンサ及び／又は構造を示す図である。
【図５１】別のディスペンサ及び／又は構造を示す図である。
【図５２】別のディスペンサ及び／又は構造を示す図である。
【図５３】別のディスペンサ及び／又は構造を示す図である。
【図５４】別のディスペンサ及び／又は構造を示す図である。
【図５５】別のディスペンサ及び／又は構造を示す図である。
【図５６】別のディスペンサ及び／又は構造を示す図である。
【発明を実施するための形態】
【００２０】
本発明はその応用例で、以下の説明に記載した、又は図面に示した構成部品の構成及び配置の詳細に限るものではないことを理解されたい。本発明は、他の実施例が可能であり、様々な方法で実施又は実行することができる。また、本明細書で使用される表現及び用語は、説明の目的であり、限定するものと解釈すべきではないことを理解されたい。本明細書での「含む」、「備える」、又は「有する」及びその変形の使用は、その後に挙げる項目及びその均等物と、追加の項目を含むことを意図する。そうでないと限定されない限り、本明細書における「接続される」、「結合される」、及び「取り付けられる」という用語、及びその変形は幅広く使用され、直接及び間接接続、結合、及び取付けを含む。加えて、「接続される」及び「結合される」という用語、及びその変形は、物理的又は機械的接続又は結合に限定されるものではない。さらに、この後の節に記載するように、図面に示された特定の機械的及び／又は他の構成は、本発明の実施例を例示することを意図する。しかし、本開示の教示内であると考えられる、他の代替的な機械的及び／又は電気的又は他の構成が可能である。
【００２１】
本明細書の例示的実施例は、様々な活性剤を送達するために使用することができる。「薬物」という用語は、予防剤と治療剤のことを言うために本明細書で大まかに使用される。例えば、ワクチンはデバイスを使用して送達することができる。加えて、用語は幅広く、典型的な特異的薬物に加えて、核酸、小分子、治療用タンパク質、ホルモン、鎮痛薬などの活性剤のことを言う。典型的な薬物として、ペプチド、インシュリン、カルシトニン、カルシトニン遺伝子調節タンパク質、人工ナトリウム排泄タンパク質、コロニー刺激因子、ベータセトン、エリスロポエチン（ＥＰＯ）、α、β又はγインターフェロンなどのインターフェロン、ソマトロピン、ソマトトロピン、ソマトスタチン、インシュリン状成長因子（ソマトメディン）、黄体形成ホルモン放出ホルモン（ＬＨＲＨ）、組織プラスミノーゲン活性因子（ＴＰＡ）、成長ホルモン放出ホルモン（ＧＨＲＨ）、オキシトシン、エストラディノール、成長ホルモン、リュープロレリン酢酸塩、因子ＶＩＩＩ、インターロイキン−２などのインターロイキン、及びその類似物などのタンパク質又はホルモン、フェンタニル、スフェンタニル、ブトルファノール、ブプレノルフィン、レボルファノール、モルフィン、ハイドロモルフォン、ハイドロコドン、オキシモルフォン、メタドン、リドカイン、ブピバカイン、ジクロフェナック、ナプロキセン、パベフィン、及びその類似物などの鎮痛剤、スマトリプタン、麦角アルカロイド、及びその類似物などの抗片頭痛薬、ヘパフィン、ヒルジン及びその類似物などの抗凝血薬、スコポラミン、オンダンセトロン、ドムペリドン、メトクロプラミド、及びその類似物などの制吐薬、ジルチアゼム、クロニジン、ニフェジピン、ベラパミル、イソソルバイド−５−モノニトレート、有機酢酸塩、心臓疾患の治療で使用される薬剤、及びその類似物などの心臓血管作用薬、抗高血圧薬及び血管拡張薬、ベンゾジアゼピン、フェノチオジン、及びその類似物などの鎮痛剤、ナルトレキソン、ナロキソン、及びその類似物などの麻薬拮抗薬、デフェロキサミン、及びその類似物などのキレート剤、デスモプレシン、バソプレシン、及びその類似物などの抗利尿薬、５−フルオロウラシル、ブレオマイシン、及びその類似物などの抗悪性腫瘍剤、プロスタグランジン及びその類似物、及びビンクリスチン、及びその類似物などの化学療法薬が挙げられる。室温で貯蔵することができる薬物の安定化調剤が、デバイス及び方法での使用に特に好ましい。
【００２２】
「流体」という用語は、薬物、活性剤、又はマイクロ針のカニューレを通過することができる薬物又は薬剤の連通を含む、又は含まないあらゆる流体のことを言う。これは、液体、溶液、ゲル、分散液又は細かい懸濁液が挙げられる。
【００２３】
図１から図４を参照し、薬物を含むものなどの流体を分配するためのディスペンサ１０の例示的実施例が提供される。ディスペンサ１０は非薬物含有流体に対して展開することができ、以下の説明は薬物含有流体に関して行われる。
【００２４】
ディスペンサ１０は、第１の流体送達端部領域１４で終端する長手軸Ａを画定するバレル（又はハウジング）１２を備える。全体的に２０で示す本体は、第１の流体送達端部領域１４に対してバレル１２に沿って移動可能である。本体２０は、長手軸Ａと整列され、針２６が配置される第２の流体送達端部領域２４で終端する針担体２２を備える。針２６は、流体カプセル３０上の膜３０ａを穿刺するように内向きに露出される上流端部２６ａ、及び第１の分配位置で流体を送達するように第１の流体送達端部領域１４を通して突出するように構成される下流端部２６ｂ（図１０に破線で示す）を有する。
【００２５】
プランジャ構造３４は、長手軸Ａと整列され、針担体２２に対して軸方向に移動可能であり、流体カプセル担体４０は、長手軸Ａと整列され、針担体２２及びプランジャ構造３４に対して軸方向に移動可能である。記載するように、（一部が全体的に、図４に４６で示される）ラッチ・インターフェイスは、プランジャ構造３４を解放するために、バレル１２及び本体２０に対して作用する圧縮力Ｃ（図１）の作用により動作可能であり、それによって、針担体２２に対して移動することができる。
【００２６】
流体カプセル担体４０は、第１の段階（又は、分配モード）では、膜３０ａとの針２６の上流端部２６ａによる穿刺接触に向けて移動するように構成される。いくつかの場合では、流体カプセル担体４０は、第１の段階の少なくとも一部に対して、プランジャ構造３４で移動するように構成される。
【００２７】
いくつかの例示的実施例では、分配モードの少なくとも一部で、流体カプセル担体４０はさらに、係止非整列角度位置（全体的に図２６及び図２７に示す）と係止整列角度位置（全体的に図２８及び図２９に示す）との間で軸方向に回転するように構成される。これは、図５から図１０を参照し、流体カプセル担体４０上のそれぞれの１対の第１の協働要素、及びプランジャ構造３４及び針担体２２の少なくとも一方にわたって提供される、説明するような、少なくとも１つの回転インターフェイスによって行うことができる。図５に示す実例では、少なくとも１つの回転インターフェイスは、少なくとも１つの第１のガイド経路５４、及びガイド経路５４に沿って移動する少なくとも１つの第１のフォロワ５６を含む、対応する第１のセットの第１の協働要素の１つをそれぞれ含む、流体カプセル担体４０とプランジャ構造３４との間に設けられた第１の回転インターフェイス５０を備える。図５から分かるように、第１のガイド経路５４は傾斜され、図示した角度形状などの様々な方法で段差又は形状である、或いは放物線などの形状であるような他の構成であってもよい。したがって、いくつかの例示的実施例では、流体カプセル担体４０とプランジャ３６との間の相補的ガイド構成により、針担体２２及びプランジャ・サポートが図２８に示すように、第１の分配位置に向かってバレルに沿って移動しながら、互いに回転することを可能にする。
【００２８】
第１のセットの第１の協働要素の第１のフォロワ５６が、本実例では、端部領域５６ａを形成する、プランジャ・サポート３８から横方向外向きに延びるフォロワ・フランジ５６として設けられる。したがって、端部領域５６ａが経路Ｂ１によって示すように第１のガイド経路５４に沿って移動すると、プランジャ構造３４は、図５に示すように、下向き方向に長手軸Ａ周りで螺旋状に回転する。
【００２９】
続いて図５を参照し、流体カプセル担体４０は、第２の流体送達端部領域２４と対向し、そこを通るプランジャ構造３４を受ける、開口端部領域４０ｂを備えたほぼ円筒形のカプセル担体本体４０ａを備える。１対の対称的に配向された突起４２は、その上の外向き縁部領域に形成された、少なくとも１つの、この場合には、２つの第１のガイド経路５４を備えた開口端部領域４０ｂに隣接して位置決めされる。したがって、第１のガイド経路５４は、プランジャ構造３４上の対応する対の対称的に配置された第１のフォロワ５６と係合するように、開口端部領域の近くで動作可能に配向される。
【００３０】
図２、図５、及び図１７から図１９ａを参照し、いくつかの例示的実施例では、少なくとも１つの回転インターフェイスは、流体カプセル担体４０と針担体２２との間に設けられた第２の回転インターフェイス６０を含む。それぞれ、対応する第２のセットの第２の協働要素のうちの１つを含む。流体カプセル担体４０の場合、１対の対称的に配向された第２のガイド経路６２は、第２の流体送達端部２４に対して配置され、円筒形担体本体４０ａ内に開口部６２ａによって形成される。第２のガイド経路６２は、この場合、針担体２２上の内面２２ｂの縁部表面として１対の第２のフォロワ６４によって提供される、針担体２２（図１７）上の少なくとも１つの第２のフォロワ６１と整列する、及び係合するように、第２の流体送達端部領域２４の近くで動作可能に配向される。したがって、カプセル担体本体４０ａは、１対の第１のガイド経路５４及び１対の第２のガイド経路６２を提供し、それぞれの対が、長手軸Ａに対して対称に配置され、（プランジャ構造３４上の）対応する第１のフォロワ５６及び（針担体２２上の）第２のフォロワ６４とインターフェイス接続する。
【００３１】
「ガイド経路」及び「フォロワ」は、インターフェイスの２つの構成部品を識別するための相対的用語であることを理解されたい。両方とも外部に加えられる力に対して互いに応じるので、このような用語は、ガイド及びフォロワそれぞれに固有の特定の機能に構成部品を限定することを意図していない。したがって、ガイド経路は、いくつかの実例では、プランジャ構造３４と針担体２２、又はバレル１２との間の力として流体カプセル担体４０上に加えられる合力にしたがうと考えることができる。
【００３２】
したがって、いくつかの実施例では、第１及び第２の回転インターフェイス５０、６０はそれぞれ、流体カプセル担体を係止整列角度位置に移すために、プランジャ構造及び／又は針担体に対する流体カプセル担体４０の回転を案内するために２対の協働要素を提供することができる。しかし、記載するように、この相対回転はまた、流体カプセルを加圧するためにプランジャを制御可能に解放することができる。両方の回転インターフェイスによって行われる移動は、両方の作用とも指定された方式で起こるように、ラッチ・インターフェイスによって制御することができる。
【００３３】
図２から図４を参照すると、流体カプセル担体４０は、本例示的実施例では全体的に、長手軸Ａに対して横である流体カプセル受け表面４４と、第１の分配位置で針２６の上流端部２６ａを受けるようにそこを通して延びる針通路４４ａとを備える。さらに図１１から図１３を参照すると、プランジャ構造３４は、カプセル受け表面４４に隣接する第２の分配位置に向かって分配モード中に移動し、流体カプセル３０を加圧するためにそれと協働し、それによって針２６を通して流体を伝えるプランジャ端部領域３４ａを備える。
【００３４】
図３、図４、及び図１１から図１４を参照すると、プランジャ構造３４は、プランジャ３６及びプランジャ支持体３８を備える。記載するように、プランジャ３６は、流体カプセル担体４０と共に回転するように、長手軸Ａ周りの少なくとも所定の範囲を通して、プランジャ支持体３８に対して旋回するように構成される。プランジャ支持体は、１対の対向ガイド・ウィンドウ３８ｅを備えた端部領域を有する中心円形通路３８ｄ（図１２ａ）を備える。プランジャは、それぞれ対応するガイド・ウィンドウ３８ｅに受けられる１対の対向タブ３６ａと、円形通路３８ｄと係合するように、そこに沿って間隔を置いて配置された、いくつかのスタビライザ３６ｂとを有する。さらに、流体カプセル担体４０及びプランジャ３６は、少なくとも分配モード中に、流体カプセル担体４０に対してプランジャ３６の角度位置を固定するように構成される。
【００３５】
図１１及び図１４を参照すると、流体カプセル担体４０及びプランジャ３６は、少なくとも１つの（この場合、２つの）横方向外向きに延びるタブ３６ａ、及び流体カプセル担体４０の内側表面４０ｃに形成された対応する対の長手溝４３を備えた、相補的ガイド構成を備える。したがって、溝４３とのタブ３６ａの係合により、分配モードでは、プランジャ支持体３８を流体カプセル担体４０にしたがうように構成する。したがって、ガイド・ウィンドウ３８ｅは、ガイド・ウィンドウ３８ｅの幅にしたがって、指定角度範囲内のタブ３６ａの回転を可能にする。
【００３６】
いくつかの例示的実施例では、また図１７及び図２４に示すように、針担体２２及びバレル１２はさらに、バレル１２に対する針担体２２の相対的回転を阻止しながら、長手軸Ａに沿った針担体移動経路を形成するように、長手軸Ａと整列された相補的構成を備えることができる。この場合、針担体２２は、バレル１２の内側表面１２ａに沿って内向きに延びる対応する間隔をおいて配置されたフランジ１５（図２４）と係合するように、長手軸Ａと配列された１対の間隔をおいて配置されたフランジ２２ａを備える。この場合、この構成は、針担体とバレルとの間の相対的回転を阻止するように、逆である又は他のやり方で構成することができるが、フランジ２２ａの間の間隙は、フランジ２２ａの間でフランジ１５を受けるようにフランジ１５間の間隙より相対的に大きい。針担体とバレルとの間の相対的回転が有益である他の実施例があってもよい。
【００３７】
図１８を参照すると、針担体２２はさらに、横周辺を画定し、組立中に流体カプセル担体４０上で１対の係止タブ７２（図２０）のうちの１つを受けるようにそれぞれ構成される対応する対の通路２５ａで終端するように延びる２対の中心本体構造を備える。図１８に示すように、通路２５ａの下側境界は、係止タブの下向きの一方向移動を可能にするようにテーパ状になっている。針担体２２に流体カプセル担体４０を設置することは、したがって、各通路２５ａに沿って係止タブ７２を通過し、テーパ状の下側境界を通過することを伴い、したがって、係止タブをそこを通すことを可能にするようにテーパ状下側境界を開口するために、矢印Ｆにしたがって針担体の僅かな横撓みを必要とする。
【００３８】
図２から図４、図２０から図２９を参照すると、いくつかの例示的実施例では、ディスペンサ１０はさらに、流体カプセル担体４０が係止整列角度位置にある場合に、係止配置の収縮位置においてディスペンサを針担体２２で固定する係止インターフェイス７０を備えることができる。本構成では、下流端部２６ｂは、バレル１２内に、すなわち、第１の流体送達端部領域１４を超えて突出しないように収縮される。したがって、針担体２２が分配位置から係止位置まで移動するように偏倚される間に、達成することができる。この場合、偏倚は、少なくとも１つの圧縮ばね、この場合、第１及び第２の送達端部領域１４、２４の間で作用し、それぞれ、バレル１２（図２１ａ）の内向き壁面、及び針担体２２（図１９ａ）の隣接向き表面の間で着座リセス８０ａ、８０ｂに配置された、１対の圧縮ばね８０によって行うことができる。
【００３９】
いくつかの例示的実施例では、ラッチ及び係止インターフェイス４６、７０は両方とも、流体カプセル担体４０から横方向外向きに延びる、少なくとも１つの、この場合、対の対向係止タブ７２を利用することができる。ラッチ・インターフェイス４６の場合、係止タブ７２はそれぞれ、バレル１２の内側表面１２ａに沿って延び、遷移領域７６で終端する、１つが図２０及び図２３に示される、１対の対向する対称軸ラッチ構成７４のうちの１つと整列される。各係止タブ７２は、軸方向ラッチ構成７４が、そうでなければそれぞれの軸ラッチ構成７４の方向の係止タブ２２の横方向移動を必要とする、軸Ａ周りの流体カプセル担体４０の回転を遮るバリアとして機能する、（係止非整列角度位置での）軸方向ラッチ構成７４の第１の隣接領域７４ａに沿って（経路Ｄ１に示すように）移動するように構成される。また、ラッチ・インターフェイス４６により、本体２０を、ディスペンサ１０の実例では、ユーザが流体送達部位に対して配置されたバレル１２でプランジャ構造３４を押すことによって克服することができる圧縮ばね８０の偏倚作用に対しバレル１２に対して移動させることが可能になる。この移動は、圧縮ばね８０の対向偏倚力に対して、プランジャ構造３４とバレル１２との間に作用する圧縮力Ｃによって生じる。
【００４０】
各軸方向ラッチ構成７４は、針担体２２に対する流体カプセル担体４０の回転移動中に、係止整列角度位置（図２８に示す）まで、遷移領域７６にわたって係止タブ７２を通過させることを可能にする、（図２６から分かるように）係止タブ７２の外側輪郭を考慮する（本実例では、これと一致する）方式で、図２３及び図２４でよく見ることができるように、遷移領域７６で面取りされる。したがって、係止タブ７２が、経路Ｄ２に沿って生じるように、それぞれの遷移領域７６を通過すると、ラッチ・インターフェイス７０が解放される。
【００４１】
係止配列角度位置にある場合、流体カプセル担体４０はしたがって、経路Ｄ３に沿って移動する係止タブ７２に対応する、圧縮ばね８０の偏倚力に対して、プランジャ構造３４の作用により軸方向に移動可能である。この位置は、針２６の上流端部２６ａによって、膜３０ａの穿刺に対応する、又は上流側であってもよい。いずれの場合でも、流体カプセル３０は、プランジャ端部領域３４ａが流体カプセル３０と係合し、それによって、流体カプセル３０を加圧するように横方向カプセル受け表面４４と協働し、下流端部２６ｂから出るように流体に針を通させることができるまで、針２６の方向に軸方向に移動することができる。プランジャ端部領域３４ａは、崩壊した（基本的には、空の又は空隙の）流体カプセルを介して、横方向カプセル受け表面４４と完全に係合する場合、分配位置に到達する。係止タブ７２は係止整列位置にあるが、まだ、係止位置にはない。
【００４２】
図２３から分かるように、いくつかの例示的実施例では、係止インターフェイスは、係止整列角度位置の係止タブ７２と、バレル１２の表面にわたって横方向に延び、遷移領域７６に隣接する位置に位置決めされ、指定の係止位置に対応し、係止縁部構成の第２の領域７４ｂに配置された横方向係止フランジ７８との間に設けることができる。係止タブ７２はしたがって、流体カプセル担体４０の解放で、また圧縮ばね８０のその後の偏倚を受けて、図２９に示すように、係止位置まで活性ヒンジ弾力性の作用を受けて、横方向係止フランジ７８に向けて経路Ｅに沿って移動し、これを通過するように構成することができる。この位置では、係止タブは、それぞれの係止フランジ７８の後にあり、これに対しており、したがって、第１の流体送達端部領域１４に向かって戻って移動するのが防止される。
【００４３】
したがって、いくつかの例示的実施例では、ラッチ・インターフェイス４６及び係止インターフェイス７０は、流体の制御分配、及び分配後のバレル１２内の収縮位置での針２６とのディスペンサの係止のために設けることができる。
【００４４】
図４、図１７、及び図３２から図３５を参照すると、いくつかの例示的実施例では、ディスペンサ１０は、（図４から分かるように）プランジャ支持体３８上の係止タブ３８ｆの間の係止インターフェイス７０を備え、流体カプセル３０の内容物を完全に分配した後に、プランジャ支持体３８（したがって、プランジャ３６）及び針支持体２２を係止するように、針支持体２２（図１７）上にボス２２ｃを配列することができる。係止タブ３８ｆとボス２２ｃとの間の相互作用は、図３４及び図３５に示される連続した非係止及び係止位置で見ることができる。
【００４５】
完全に分配された位置では、図３５に示すように、針２６の上流端部２６ａは、針通路４４ａ内に延び、したがって、この段階で、流体カプセル３０の両側を穿刺するように示される。すなわち、カプセル、針、及び／又は針通路４４ａは、相互に、流体カプセルが針通路４４ａ内に集まるのを可能にする、或いは針によって貫通されないようにするように構成することができる。
【００４６】
したがって、プランジャ支持体３８が完全分配位置に近づくと、係止タブ３８ｆは、本例示的実施例では、ボス２２ｃの形で、対応する係止構成で撓む。活性ヒンジ弾力性により、係止タブ３８ｆは、完全分配位置に到達する場合に、図３５に示すように係止位置に音声的に「クリック」するように構成することができる。したがって、係止インターフェイス７０は、この例では、２つの役割を達成する。第１に、プランジャ支持体３８（したがって、プランジャ３６）を係止構成で針担体２２で固定し、それによって、さらに、図２３に示すように、経路Ｅに沿った係止位置への変位が、一緒に移動するプランジャ支持体３８、プランジャ３６及び針担体２２で起こる可能性がある。
【００４７】
第２に、係止タブ３８ｆは、ディスペンサ１０の使用が第２の分配位置に到達したことを示す音声又は他の信号を発する構成の一実例である。すなわち、ディスペンサ１０は、他の方法では、自然の材料弾力性、ばね、磁気などの使用により、又は雑音発生位置センサなどを通して電子的にのいずれかで、１つ又は複数の偏倚した雑音発生要素を使用する他の機械的構成を含む他の雑音発生構成によって提供することができるように、プランジャ３６が第２の分配位置に到達することを示すディスペンサ１０のユーザに聞こえる音声を発するように構成することができる。
【００４８】
図２５を参照すると、ディスペンサ１０はさらに、ユーザが分配モードを通してディスペンサ１０を操作するように２本の指と係合するように、針担体２２から外向きに延びる、少なくとも１つの、この例では、１対のユーザ把持タブ８４を備える。
【００４９】
したがって、いくつかの例示的実施例では、ディスペンサ１０の作用は順に、力Ｃをディスペンサに伝達する出荷又は準備中の状態を阻止することによる、流体カプセル３０内に入れられた流体の偶発的な解放の危険性を減らして、ディスペンサ１０を製造し、梱包し、分配部位に出荷することを可能にする前分配係止構成からディスペンサ１０が遷移する解放モードを伴う可能性がある。分配部位は、例えば、遠隔位置にあり、標準的注射器の操作で実施することができないボランティア・ユーザが配置される可能性がある。さらに、前分配係止構成は、針との不注意な接触の危険性を減らし、また流体の不注意な分配の危険性を減らして、ディスペンサ１０を開梱し、分配に備えることを可能にする。このとき、ディスペンサ１０、及び患者の流体送達部位を準備することができる。
【００５０】
流体を分配するために、ユーザは、人差し指及び中指でユーザ把持タブ８４を、及び親指でプランジャ構造３４の外側端部領域を係合することによって、ディスペンサ１０を把持することができる。この状態で、ディスペンサ１０は、（図２３に示すように）第１の隣接領域７４ａに配置される対応する軸方向ラッチ構成７４の係止タブ７２（図２５）によって、係合したラッチ・インターフェイス４６の結果、分配から係止され、したがって、針担体２２及びプランジャ構造３４に対する流体カプセル担体４０の回転を防ぐ。その回転なしで、プランジャ構造３４は、流体カプセル３０を加圧するように、流体カプセル担体４０に向けて移動することは不可能である。しかし、この構成では、ディスペンサ１０が患者の流体送達部位に置かれ、これに対して押される場合に起こる、圧縮力Ｃが圧縮ばね８０に加えられる場合に、プランジャ構造３４はバレル１２に対して長手方向に移動可能である。
【００５１】
図２３及び図２５を参照すると、圧縮力Ｃを受けて、ディスペンサ１０は、前分配係止モード（図２３の経路Ｄ１に対応する）から、係止タブ７２が経路Ｄ２に沿って、軸方向ラッチ構成７４（図２５）上で面取りされた遷移領域７６に到達し、横切る場合に起こる分配モードまでの遷移に向かって移動する。したがって、分配モードは、図２８に示す位置（図２３の経路Ｄ２に対応する）までのタブ７２の移動によって分かるように、流体カプセル担体４０が針担体２２に対して回転する第１の回転段階を伴う。第１及び第２のフォロワ５６、６４は、流体カプセル３０との係合に向かってプランジャ端部領域３４ａの対応する軸方向移動で、第１及び第２のガイド経路５４、６２（図２３の経路Ｄ３に対応する）に沿って移動することができる。したがって、図２７及び２８は、プランジャ端部領域３４ａがカプセル受け表面４４に近づきながら、流体カプセル担体４０が長手軸Ａ周りで針担体２２に対して回転する第１の回転段階を示す。これは、例示した実例では、ガイド表面の中心位置である、ガイド表面及びフォロワ部材の相対的構成に左右される開始位置からガイド表面に沿って進む対応するフォロワ部材によって分かる。
【００５２】
したがって、（図５を参照すると）第１の回転段階中に、第１のフォロワ５６は、経路Ｄ２に沿ったタブ７２の移動と共に起こる、経路Ｂ１の方向に第１のガイド経路５４に沿って移動する。第１のフォロワ５６はその後、（図２９における）経路Ｄ３に沿ったタブ７２の移動に対応する、経路Ｂ２の方向に、図２に示すように、第１のガイド経路を越えて下向きに通過するので、第２の分配段階の開始に到達する。個別の経路Ｄ２及びＤ３は例示的ものであり、いくつかの場合、長手軸Ａ周りの螺旋経路の軸方向及び接線方向構成部品であってもよいことを理解されたい。
【００５３】
いくつかの例示的実施例において、第２の分配段階では、矢印Ｂ１とＢ２との間の遷移点での第１のフォロワ５６の移動の点は全体的に、プランジャ端部領域３４ａとカプセル３０との間の接触の開始に対応するように構成することができ、プランジャ端部領域が横方向カプセル受け表面４４との係合、したがって、間で流体カプセル３０内の流体の分配の実質的完了に到達するので、第１のフォロワ５６の移動は全体的に、開口端部領域４０ｂでの制限表面４０ｄで、又はその近くで終端する。したがって、制限表面４０ｄに向かう遷移点からの第１のフォロワ５６の移動は、流体の分配に対応することにしたがう。したがって、分配モードは、第２の分配段階を含み、その間、プランジャ端部領域３４ａは、流体カプセル３０を加圧し、流体を分配するように、第２の分配位置に向けてカプセル受け表面４４に対して軸方向に移動可能である。
【００５４】
係止モードはその後、プランジャ３６及び把持タブ８４の解放に進み、したがって、圧縮ばね８０が、本体２０、したがって係止タブ７２を、図２９に示すように係止フランジ７８との係止位置に向けて偏倚させる。
【００５５】
図３、図２０、図２３、図２５及び図２６を参照すると、別の係止インターフェイスが８８で示され（図２５）、バレル１２の側壁面のボス１２ｃの形で、相補的構成によって提供され、１２ｂで示す通路の直ぐ上に配置される。図２５から分かるように、ボス１２ｃは、針担体が分配モードの開始でバレルで組み立てられる場合に、ボス１２ｃと係合する、針担体２２から外向きに延びるタブ２２ｄ（図２６）と整列される。係止インターフェイス８８はこの場合、タブ２２ｄをボス１２ｃと係合することによって、針担体２２を定位置に係止するために設けられる。通路１２ｂは、この場合、分解することを可能にするように設けられる。市販の設定では、通路１２ｂは必要なく、省略することができ、したがって、タブ２２ｄ及びボス１２ｃが係合すると、針担体をバレル内に効果的及び永久的に設置させる。
【００５６】
図３から図１０を参照し、流体カプセル３０をより近くで見ると、膜３０ａは図３及び図４で比較的凸に示されるが、いくつかの場合では、充填状態の場合に起こることがある。一方、膜３０ａはまた、平面構成を維持することができる。いずれの場合でも、膜は、超音波溶接シームなどにより、球状本体３０ｂに接合される。膜３０ａは、その可撓性により、中で膜３０ａの外側表面の機能的着座を提供するために僅かに凹である横方向カプセル受け表面の形にしたがう。流体カプセル３０が流体カプセル担体４０上の位置にある場合、球状本体３０ｂはしたがって、プランジャ端部領域３４ａの露出表面３４ｂと整列し、係合する。（流体カプセル３０に露出された）プランジャの露出表面３４ｂのほぼ凸形状は、横方向流体カプセル受け表面のほぼ凹形状と相補的であり、それによって、互いに押されると、図１０に示すように、分配位置に到達するときにキャビティを実質的に完全に空にすることができる。したがって、表面３４ｂが表面４４に近づくと、流体カプセル３０内の内圧は、膜を伸ばす傾向がある、膜３０ａ上の横方向張力につながるように、すなわち、膜３０ａの表面積を増加させる傾向があるように増加する。したがって、膜３０ａ内の張力は、針２６の上流端部２６ａによるその穿刺を強化して、膜材料が針周りで集まるように生じる可能性がある傾向を最小限にし、したがって、針貫通及び分配の開始を遅らせる。
【００５７】
膜３０ａと球体本体３０ｂとの間の遷移は、ベース層とカバー層との間に形成することができ、ベース層は、膜３０ａを画定する平面区域、及び球状本体３０ｂを画定する球状領域を有する。
【００５８】
図３６から図５２を参照すると、第１の流体送達端部領域９６で終端するバレル９４、及び本体９８を備えた別の流体ディスペンサが９２で示される。キャップ９９は、送達端部領域９６で通路９６ａ（図４９）を閉じるように設けられる。この場合、バレル９４は、そこから外向きに延びる１対のユーザ把持タブ１００を備え、例えば、患者上の分配部位に対して第１の流体送達端部領域９６を押す必要なく、バレル（ユーザ把持タブ１００を介して）と本体９８との間に圧縮力Ｃをユーザが確立することが可能になる。すなわち、圧縮力Ｃは、あらゆる接触が第１の流体送達端部領域９６と患者との間で行われる前に確立することができる。
【００５９】
図４０から図４８を参照すると、本体９８は、プランジャ支持体１０２、プランジャ１０３、及び（針１０５を運ぶ通路１０４ａを備えた）針担体１０４を備え、その間の回転移動を最小限にするためにガイド・インターフェイス１０８を形成するように、バレル９４と一緒に、構造で構成することができる。この実例では、ガイド・インターフェイス１０８は、バレル９６上で対応する拡張部分１０６を受ける、プランジャ支持体１０２上の少なくとも１つの支持通路（この場合、１対の支持通路１１０）を備える。この場合、１対の支持通路１１０は、対応する対の支持通路のうちの１つの外周面をそれぞれ画定する、１対の対称的に対向する周方向拡張ウェブ１１４によって提供される。さらに、プランジャ支持体１０２は、ウェブ１１４の間にあり、対応する対の溝付ガイド部１１２と係合する１対の隆線表面領域１１８を有する。
【００６０】
使用において、プランジャ支持体１０２はしたがって、針担体１０４及びバレル９４に対して移動し、ガイド部１１２を隆線表面領域１１８に沿って移動させ、拡張部１０６は対応する支持通路１１０に沿って移動し、したがって、支持通路１１０の境界に対する拡張部１０６の制約によってブロックされるプランジャ支持体１０２、針担体１０４及びバレル９４の相対的回転移動で、軸Ａに沿った長手方向移動を可能にする。回転移動を最小限にするために、他の構成を展開することもできる。さらに、プランジャ支持体１０２と針担体１０４との間の回転移動が、いくつかの場合で、有用な機能的目的を提供することができるいくつかの構成がある。
【００６１】
図４９及び図５３から図５６を参照すると、キャップ９９は、ベース・フランジ１２４と共に、通路９６ａの同様のボウ・タイ形状に合う、ユーザによって保持される起動フランジ１２２を有するボウ・タイ形状のカップラ１２０を備える。したがって、キャップ９９の設置には、カップラ１２０を通路９６ａと整列させ、ベース・フランジ１２４が第１の流体分配端部９６の外側表面と係合するまで、カップラ１２０を通路９６ａ内に延ばすことを伴う。キャップ９９はその後、第１の流体分配端部９６の構造をカップラ１２０とベース・フランジ１２４との間に保持して、通路との整列からカップラ１２０を外すように回転させ、したがって、キャップ９９を使用されるまで定位置で保持することができる。所望の場合、キャップ９９と第１の流体分配端部９６の構造との間に追加の摩擦又はラッチ構成を設けることによって、キャップ９９を定位置に戻すために、１つ又は複数の別の構成を提供することができる。
【００６２】
したがって、ディスペンサ９２としていくつかの例示的実施例では、プランジャ１０３及び流体カプセル担体１２８は、第１のカプセル加圧モードで流体カプセル加圧区域１２６を形成するように構成される、カプセル・レシーバを提供する。針担体１０４は、流体送達針を支持し、針担体及び流体カプセル・レシーバは、針をカプセル加圧区域内に延ばして、第２の流体カプセル穿刺モードで加圧された流体カプセルを穿刺するように構成される。流体カプセル担体１２８及び針担体１０４は、第３の流体送達モードに対して針１０５の流体送達端部を露出させるために本体９８に沿って移動するように構成される。
【００６３】
この場合、プランジャ１０３及び流体カプセル担体１２８は、その間に流体カプセルを配置するための相補的表面を有する。少なくとも１つのインターフェイスはしたがって、プランジャ支持体１０２、流体カプセル担体１２８、針担体１０４及び／又は本体９８の間で動作可能であり、プランジャ支持体及び本体の間の実質的に一定の大きさで圧縮力を加えながら、第１、第２及び第３のモードで流体カプセル担体に対するプランジャの変位を可能にする。
【００６４】
したがって、いくつかの例示的実施例では、ディスペンサは、第１の流体送達端部領域で終端する長手軸を画定するバレル、及び第１の流体送達端部領域に対してバレルに沿って移動可能なディスペンサ本体を提供することによって、分配デバイスをそこからの流体の送達後に固定する方法又は解決法を提供するように構成することができる。ディスペンサ本体はその後、第１の段階では、分配前構成と分配構成との間に、第２の段階では、分配構成と係止された分配後構成との間に変位することができ、ディスペンサ本体は、ディスペンサを第２の段階での移動中に係止することができるように、少なくとも１つの係止構造と整列された配向を求めて第１の段階及び／又は第２の段階中に、少なくとも部分的に、長手軸周りに回転することができる。したがって、ディスペンサ本体を少なくとも１つの係止構造と整列させる作用を第１の段階で必ずしも生じさせる必要なく、本明細書の例示的実施例の構造機構を利用することができる。むしろ、第２の段階は、いくつかの場合では、整列、又は第１及び第２の段階の組合せを行うように構成することができる。
【００６５】
したがって、いくつかの例示的な実施例、例えば、ディスペンサ９２は、流体を流体カプセルから分配する方法であって、
ａ．流体カプセルを流体カプセル内で画定された流体カプセル支持表面に配置するステップと、
ｂ．流体カプセルとの係合に向けて軸に沿ってプランジャを変位させるステップと、
ｃ．流体カプセル支持表面に対する流体カプセルの膜が張力を加えた針受け構成であるように、流体カプセルをプランジャと流体カプセル支持体との間で加圧するステップと、
ｄ．流体送達針の流体カプセル穿刺端部を流体カプセル支持表面を通して延ばし、膜を貫通して、針を通して流体の分配を開始させるために、針支持体に向けて針受け構成において流体カプセルでプランジャ及び流体カプセル支持体を変位させるステップと、
ｅ．ユーザの皮膚を貫通するように露出された針の反対側の流体送達端部で流体送達構成に向けてプランジャ、流体カプセル支持体及び針支持体を前進させるステップと
を含む、方法を可能にする。
【００６６】
節
ディスペンサ及び方法を含む、本明細書に記載されたような例示的実施例は、以下の節に記載される。
１．第１の流体送達端部領域で終端する長手軸を画定するバレルと、第１の段階では分配前構成と分配構成との間、及び第２の段階では分配構成と係止された分配後構成との間で第１の流体送達端部領域に対してバレルに沿って移動可能なディスペンサ本体とを備えた流体ディスペンサであって、ディスペンサ本体は、第２の段階での移動中にディスペンサ本体を係止された分配後構成で係止するように構成される少なくとも１つの係止構造と整列された配向を求めて第１の段階中に長手軸周りに回転するように構成される、流体ディスペンサ。
２．ディスペンサ本体は、その上に画定された第２の流体送達端部領域を備えた針担体を備える、前述又は後述の節のいずれかに記載のディスペンサ。
３．針担体は、係止された分配後構成でバレル内の収縮位置にあるように構成される、前述又は後述の節のいずれかに記載のディスペンサ。
４．ディスペンサ本体は、運ばれたカプセルから流体を分配するように、第１の段階で針担体に対して移動可能な流体カプセル担体を備える、前述又は後述の節のいずれかに記載のディスペンサ。
５．ディスペンサ本体は、運ばれたカプセルを加圧するように、第１の段階の少なくとも一部で流体カプセル担体に対して移動可能なプランジャ構造を備える、前述又は後述の節のいずれかに記載のディスペンサ。
６．流体カプセル担体は、第１の段階の少なくとも一部の間に、プランジャ構造で移動するように構成される、前述又は後述の節のいずれかに記載のディスペンサ。
７．第１の段階の少なくとも一部の間に、流体カプセル担体は、係止非整列及び係止整列角度位置の間で軸方向に回転するように構成される、前述又は後述の節のいずれかに記載のディスペンサ。
８．バレルに対する流体カプセル担体の軸方向回転を可能にするように、流体カプセル担体、及びプランジャ構造及び針担体のうちの少なくとも一方の上にそれぞれ、複数の協働要素にわたって画定される少なくとも１つの回転インターフェイスをさらに備える、前述又は後述の節のいずれかに記載のディスペンサ。
９．少なくとも１つの回転インターフェイスは、それぞれ対応する第１のセットの第１の協働要素のうちの１つを備えた、流体カプセル担体とプランジャ構造との間に設けられた第１の回転インターフェイスを備える、前述又は後述の節のいずれかに記載のディスペンサ。
１０．少なくとも１つの回転インターフェイスは、それぞれ対応する第２のセットの第２の協働要素のうちの１つを備えた、流体カプセル担体と針担体との間に設けられた第２の回転インターフェイスを備える、前述又は後述の節のいずれかに記載のディスペンサ。
１１．第１及び／又は第２の協働要素は、少なくとも１つのガイド経路と、ガイド経路に沿って移動する少なくとも１つのフォロワとを備える、前述又は後述の節のいずれかに記載のディスペンサ。
１２．ガイド経路は傾斜する、前述又は後述の節のいずれかに記載のディスペンサ。
１３．流体カプセル担体は、そこを通してプランジャ構造を受けるように、第２の流体送達端部領域に対向する開口端部領域を有するカプセル担体本体を備える、前述又は後述の節のいずれかに記載のディスペンサ。
１４．少なくとも１つの第１のガイド経路は、プランジャ構造上で第１のフォロワと係合するように、開口端部領域の近くで動作可能に配向される、前述又は後述の節のいずれかに記載のディスペンサ。
１５．第２のガイド経路は、針担体上で第２のフォロワと係合するように、第２の流体送達端部領域近くで動作可能に配向される、前述又は後述の節のいずれかに記載のディスペンサ。
１６．カプセル担体本体は円筒形であり、１対の第１のガイド経路及び１対の第２のガイド経路を備え、それぞれの対は長手軸に対して対称に配置される、前述又は後述の節のいずれかに記載のディスペンサ。
１７．流体カプセル担体は、横方向流体カプセル受け表面、及び針の上流端部を受けるようにそこから延びる針通路を備える、前述又は後述の節のいずれかに記載のディスペンサ。
１８．プランジャ構造は、流体カプセルを加圧するように、流体カプセル受け表面に向けて第１の段階の少なくとも一部の間に移動し、それによって、針を通して流体を伝えるプランジャ端部領域を備える、前述又は後述の節のいずれかに記載のディスペンサ。
１９．第１の段階は、少なくとも部分的に、ａ．プランジャ端部領域が流体カプセル受け表面に近づくと、流体カプセル担体が長手軸周りで針担体に対して回転可能である第１の回転段階と、ｂ．少なくとも部分的に流体カプセルを加圧するように、プランジャ端部領域が流体カプセル受け表面に対して軸方向に移動可能である第２の分配段階を含む、前述又は後述の節のいずれかに記載のディスペンサ。
２０．第２の分配段階中に、少なくとも部分的に、プランジャ端部領域は、流体を分配するように、針担体上の針との穿刺接触に向けて、流体カプセル受け表面と軸方向に移動可能である、前述又は後述の節のいずれかに記載のディスペンサ。
２１．少なくとも１つの係止構造は、ディスペンサ本体が係止整列角度位置にある場合に、係止位置でディスペンサ本体を固定する係止インターフェイスを備える、前述又は後述の節のいずれかに記載のディスペンサ。
２２．針担体は、第２の分配位置から係止位置まで移動するように偏倚される、前述又は後述の節のいずれかに記載のディスペンサ。
２３．係止インターフェイスは、ディスペンサが係止整列角度位置にある場合に係合するように、流体カプセル担体とバレルとの間で構成される、前述又は後述の節のいずれかに記載のディスペンサ。
２４．流体カプセル担体から横方向外向きに延びる少なくとも１つのラッチ構造と、バレルの内側表面に沿って延び、遷移領域で終端する少なくとも１つの軸方向ラッチ縁部構成とをさらに備えるディスペンサであって、ラッチ構造は、遷移に向かって及びこれを越えて軸方向ラッチ縁部構成に沿って移動し、それによってプランジャ構造を解放するように構成される、前述又は後述の節のいずれかに記載のディスペンサ。
２５．少なくとも１つの係止構造及び少なくとも１つのラッチ構造はそれぞれ、共通して、流体カプセル担体から外向きに延びる１対の係止タブによって画定される、前述又は後述の節のいずれかに記載のディスペンサ。
２６．偏倚は、第１及び第２の流体送達端部領域の間で作用する少なくとも１つのばねによって行われる、前述又は後述の節のいずれかに記載のディスペンサ。
２７．係止インターフェイスは、針担体から横方向外向きに延びる少なくとも１つの係止構造と係止位置でバレルの表面にわたって横方向に延びる少なくとも１つの横方向係止縁部構成との間に構成され、係止構造は、係止整列角度位置にある場合に、係止位置で横方向係止縁部構成に向かって移動し、これと係合するように構成される、前述又は後述の節のいずれかに記載のディスペンサ。
２８．少なくとも１つの係止構造は、バレル上の対応する係止縁部構成と係合するように、流体カプセル担体から横方向外向きに延びる少なくとも１つの係止タブを備える、前述又は後述の節のいずれかに記載のディスペンサ。
２９．プランジャ構造は、プランジャ及びプランジャ支持体を備え、プランジャは流体カプセル担体で回転するように、プランジャ支持体に対して少なくとも所定の範囲で旋回するように構成される、前述又は後述の節のいずれかに記載のディスペンサ。
３０．流体カプセル担体及びプランジャは、少なくとも第１の段階中に、流体カプセル担体に対するプランジャの角度位置を固定するように構成される、前述又は後述の節のいずれかに記載のディスペンサ。
３１．流体カプセル担体及びプランジャはさらに、プランジャを流体カプセル担体と整列させる相補的ガイド構成を備える、前述又は後述の節のいずれかに記載のディスペンサ。
３２．ガイド構成は、プランジャ上の少なくとも１つの横方向外向きに延びるタブ、及び流体カプセル担体の内側表面に形成された少なくとも１つの長手溝を備える、前述又は後述の節のいずれかに記載のディスペンサ。
３３．プランジャ支持体及び針担体は、針担体に対するプランジャ支持体の角度位置を固定するように構成される、前述又は後述の節のいずれかに記載のディスペンサ。
３４．針担体及びプランジャ支持体は、長手軸に沿ってプランジャ支持移動経路を形成するように、長手軸と整列された相補的構成を備えた、前述又は後述の節のいずれかに記載のディスペンサ。
３５．相補的構成は、針担体及びプランジャ支持体のうちの一方から延び、針担体及びプランジャ支持体のうちのもう一方で相補的溝構成に受けられる１対のフランジを備える、前述又は後述の節のいずれかに記載のディスペンサ。
３６．プランジャ支持体は、バレル上で隣接する端部領域を受ける環状通路を形成するように横方向外向きに間隔をおいて配置されるカバー・フランジを備える、前述又は後述の節のいずれかに記載のディスペンサ。
３７．第１の段階の少なくとも一部を通してディスペンサを操作するように、ユーザが係合するための、針担体又はバレルから外向きに延びる少なくとも１つのユーザ把持タブをさらに備える、前述又は後述の節のいずれかに記載のディスペンサ。
３８．プランジャ構造が分配位置に到達したことを示す信号を発する信号エミッタをさらに備える、前述又は後述の節のいずれかに記載のディスペンサ。
３９．信号エミッタは、バレルとディスペンサ本体との間の信号発生インターフェイスを備える、前述又は後述の節のいずれかに記載のディスペンサ。
４０．信号発生インターフェイスは、少なくとも１つの弾力性タブと、それに整列された少なくとも１つの係止構成とを備え、それぞれ、バレル及びディスペンサ本体のうちのそれぞれ１つの上に配置される、前述又は後述の節のいずれかに記載のディスペンサ。
４１．少なくとも弾力性タブはプランジャ支持体から延び、少なくとも１つの係止構成はバレルの内側表面に位置決めされる、前述又は後述の節のいずれかに記載のディスペンサ。
４２．少なくとも１つの弾力性タブは、分配位置での少なくとも１つの係止構成で定位置に係止される、前述又は後述の節のいずれかに記載のディスペンサ。
４３．分配位置でバレルに対してディスペンサ本体を係止する係止インターフェイスをさらに備える、前述又は後述の節のいずれかに記載のディスペンサ。
４４．係止インターフェイスは、少なくとも１つの弾力性タブ、及びそこに整列されたボスを備え、それぞれ、バレル及び本体のうちのそれぞれ１つの上に配置される、前述又は後述の節のいずれかに記載のディスペンサ。
４５．弾力性タブは、プランジャ支持体から延び、ボスは、バレルの内側表面に位置決めされる、前述又は後述の節のいずれかに記載のディスペンサ。
４６．プランジャ支持体、針担体及び／又はバレルは、その間の回転移動を阻止するためにガイド・インターフェイスを形成する構成を備える、前述又は後述の節のいずれかに記載のディスペンサ。
４７．ガイド・インターフェイスは、バレル上で拡張部分を受ける少なくとも１つの支持通路を備える、前述又は後述の節のいずれかに記載のディスペンサ。
４８．プランジャ支持体は、対称に対向して周方向に拡張された１対のウェブを備え、それぞれ、対応する対の支持通路のうちの１つの外周を画定する、前述又は後述の節のいずれかに記載のディスペンサ。
４９．針担体は、プランジャ支持体上で対応する表面と係合する、１対の対向及び周方向断面ガイド部を備える、前述又は後述の節のいずれかに記載のディスペンサ。
５０．流体ディスペンサであって、
ａ．第１の流体送達端部領域で終端する長手軸を画定するバレルと、
ｂ．第１の流体分配端部領域に対してバレルに沿って移動可能な本体であって、
ｉ．長手軸と整列され、第１の分配位置で第１の流体送達端部領域を通して突出するように構成される下流側端部を有する針が配置された第２の流体送達端部領域で終端する針担体、
ｉｉ．長手軸と整列され、針担体に対して軸方向に移動可能なプランジャ構造、
ｉｉｉ．流体カプセルを受けるように構成され、長手軸と整列され、針担体とプランジャ構造に対して軸方向に移動可能な流体カプセル担体、
ｉｖ．針担体に対して移動するようにプランジャ構造を解放するために、バレルと本体との間の圧縮力の作用を受けて動作可能なラッチ・インターフェイス、及び
ｖ．分配モードでは、流体カプセルとの針の穿刺接触に向かって移動するように構成される流体カプセル担体を含む、
本体と
を備えた流体ディスペンサ。
５１．流体カプセル担体は、分配モードの少なくとも一部では、プランジャ構造で移動するように構成される、前述又は後述の節のいずれかに記載のディスペンサ。
５２．分配モードの少なくとも一部の間に、流体カプセル担体は、係止非整列及び係止整列角度位置の間で軸方向に回転するように構成される、前述又は後述の節のいずれかに記載のディスペンサ。
５３．流体カプセル担体、及びプランジャ構造及び針担体のうちの少なくとも一方の上にそれぞれ、複数の協働要素を含む少なくとも１つの回転インターフェイスをさらに備える、前述又は後述の節のいずれかに記載のディスペンサ。
５４．少なくとも１つの回転インターフェイスは、それぞれ対応する第１のセットの第１の協働要素のうちの１つを備えた、流体カプセル担体とプランジャ構造との間に設けられた第１の回転インターフェイスを備える、前述又は後述の節のいずれかに記載のディスペンサ。
５５．少なくとも１つの回転インターフェイスは、それぞれ対応する第２のセットの第２の協働要素のうちの１つを備えた、流体カプセル担体と針担体との間に設けられた第２の回転インターフェイスを備える、前述又は後述の節のいずれかに記載のディスペンサ。
５６．第１及び／又は第２の協働要素は、少なくとも１つのガイド経路と、ガイド経路に沿って移動する少なくとも１つのフォロワとを備える、前述又は後述の節のいずれかに記載のディスペンサ。
５７．ガイド経路は傾斜する、前述の節のいずれかに記載のディスペンサ。
５８．第１及び／第２のセットの協働要素のフォロワは、フォロワ・ガイド経路を備える、前述又は後述の節のいずれかに記載のディスペンサ。
５９．流体カプセル担体は、そこを通してプランジャ構造を受けるように、第２の流体送達端部領域に対向する開口端部領域を有するカプセル担体本体を備える、前述又は後述の節のいずれかに記載のディスペンサ。
６０．少なくとも１つの第１のガイド経路は、プランジャ構造上で第１のフォロワと係合するように、開口端部領域の近くで動作可能に配向され、少なくとも１つの第２のガイド経路は、針担体上で第２のフォロワと係合するように、第２の流体送達端部領域近くで動作可能に配向される、前述又は後述の節のいずれかに記載のディスペンサ。
６１．カプセル担体本体は円筒形であり、１対の第１のガイド経路及び１対の第２のガイド経路を備え、それぞれの対は長手軸に対して対称に配置される、前述又は後述の節のいずれかに記載のディスペンサ。
６２．流体カプセル担体は、流体カプセル受け表面、及び第１の分配位置で針の上流端部を受けるようにそこから延びる針通路を備え、プランジャ構造は、分配モード中に、流体カプセル受け表面に隣接する第２の分配位置に向けて移動し、流体カプセルを加圧するようにそれと協働し、それによって、針を通して流体を伝えるプランジャ端部領域を備える、前述又は後述の節のいずれかに記載のディスペンサ。
６３．分配モードは、少なくとも部分的に、ａ．プランジャ端部領域が流体カプセル受け表面に近づくと、流体カプセル担体が長手軸周りで針担体に対して回転する第１の回転段階と、ｂ．少なくとも部分的に流体カプセルを加圧し、流体を分配するように、プランジャ端部領域が流体カプセル受け表面に対して軸方向に移動可能である第２の分配段階を含む、前述又は後述の節のいずれかに記載のディスペンサ。
６４．第２の分配段階中に、少なくとも部分的に、プランジャ端部領域は、流体を分配するように、針担体上の針との穿刺接触に向けて、流体カプセル受け表面と軸方向に移動可能である、前述又は後述の節のいずれかに記載のディスペンサ。
６５．流体カプセル担体が係止整列角度位置にある場合に、係止位置で本体を固定する係止インターフェイスをさらに備える、前述又は後述の節のいずれかに記載のディスペンサ。
６６．針担体は、第２の分配位置から係止位置まで移動するように偏倚される、前述又は後述の節のいずれかに記載のディスペンサ。
６７．偏倚は、第１及び第２の流体送達端部領域の間で作用する少なくとも１つのばねによって行われる、前述又は後述の節のいずれかに記載のディスペンサ。
６８．流体カプセル担体から横方向外向きに延びる少なくとも１つの係止タブと、バレルの内側表面に沿って延び、遷移領域で終端する少なくとも１つの軸方向ラッチ縁部構成との間に構成されるラッチ・インターフェイスをさらに備えるディスペンサであって、係止タブは、遷移領域に向かって及びこれを越えて圧縮力の作用により軸方向係止縁部構成に沿って移動し、それによって流体カプセル担体に対する移動のためにプランジャ構造を解放するように構成される、前述又は後述の節のいずれかに記載のディスペンサ。
６９．係止インターフェイスは、流体カプセル担体から横方向外向きに延びる少なくとも１つの係止タブと、係止位置でバレルの内側表面にわたって横方向に延びる少なくとも１つの横方向係止縁部構成との間に構成され、係止タブは係止整列角度位置にある場合に、係止位置で横方向係止縁部構成に向かって移動し、これと係合するように構成される、前述又は後述の節のいずれかに記載のディスペンサ。
７０．少なくとも１つの係止タブは、流体カプセル担体から横方向外向きに延びる１対の係止タブを備える、前述又は後述の節のいずれかに記載のディスペンサ。
７１．プランジャ構造は、プランジャ及びプランジャ支持体を備え、プランジャは流体カプセル担体で回転するように、プランジャ支持体に対して少なくとも所定の範囲で旋回するように構成される、前述又は後述の節のいずれかに記載のディスペンサ。
７２．流体カプセル担体及びプランジャは、少なくとも分配モード中に、流体カプセル担体に対するプランジャの角度位置を固定するように構成される、前述又は後述の節のいずれかに記載のディスペンサ。
７３．流体カプセル担体及びプランジャはさらに、相補的ガイド構成を備える、前述又は後述の節のいずれかに記載のディスペンサ。
７４．ガイド構成は、プランジャ上の少なくとも１つの横方向外向きに延びるタブ、及び流体カプセル担体の内側表面に形成された少なくとも１つの長手溝を備える、前述又は後述の節のいずれかに記載のディスペンサ。
７５．プランジャ支持体及び針担体は、分配モードにおける、針担体に対するプランジャ支持体の角度位置を固定するように構成される、前述又は後述の節のいずれかに記載のディスペンサ。
７６．針担体及びプランジャ支持体は、長手軸に沿ってプランジャ支持移動経路を形成するように、長手軸と整列された相補的構成を備えた、前述又は後述の節のいずれかに記載のディスペンサ。
７７．相補的構成は、針担体からプランジャ支持体に向かって延び、プランジャ支持体上で相補的溝構成に受けられる１対のフランジを備える、前述又は後述の節のいずれかに記載のディスペンサ。
７８．プランジャ支持体は、バレル上で隣接する端部領域を受ける環状通路を形成するように横方向外向きに間隔をおいて配置されるカバー・フランジを備える、前述又は後述の節のいずれかに記載のディスペンサ。
７９．分配モードの少なくとも一部を通してディスペンサを操作するように、ユーザが係合するための、針担体又はバレルから外向きに延びる少なくとも１つのユーザ把持タブをさらに備える、前述又は後述の節のいずれかに記載のディスペンサ。
８０．プランジャ構造が第２の分配位置に到達したことを示す信号を発する信号エミッタをさらに備える、前述又は後述の節のいずれかに記載のディスペンサ。
８１．信号エミッタは、バレルとディスペンサ本体との間の信号発生インターフェイスを備える、前述又は後述の節のいずれかに記載のディスペンサ。
８２．信号発生インターフェイスは、少なくとも１つの弾力性タブと、それに整列された少なくとも１つの係止構成とを備え、それぞれ、バレル及び本体のうちのそれぞれ１つの上に配置される、前述又は後述の節のいずれかに記載のディスペンサ。
８３．弾力性タブはプランジャ支持体から延び、少なくとも１つの係止構成はバレルの内側表面に位置決めされる、前述又は後述の節のいずれかに記載のディスペンサ。
８４．弾力性タブは、第２の分配位置での少なくとも１つの係止構成で定位置に係止される、前述又は後述の節のいずれかに記載のディスペンサ。
８５．第２の分配位置でバレルに対して本体を係止する係止インターフェイスをさらに備える、前述又は後述の節のいずれかに記載のディスペンサ。
８６．係止インターフェイスは、少なくとも１つの弾力性タブ、及びそこに整列されたボスを備え、それぞれ、バレル及び本体のうちのそれぞれ１つの上に配置される、前述又は後述の節のいずれかに記載のディスペンサ。
８７．弾力性タブは、プランジャ支持体から延び、ボスは、バレルの内側表面に位置決めされる、前述又は後述の節のいずれかに記載のディスペンサ。
８８．プランジャ支持体、針担体及び／又はバレルは、その間の移動を案内するためにガイド・インターフェイスを形成する構成を備える、前述又は後述の節のいずれかに記載のディスペンサ。
８９．ガイド・インターフェイスは、バレル上で拡張部分を受ける少なくとも１つの支持通路を備える、前述又は後述の節のいずれかに記載のディスペンサ。
９０．プランジャ支持体は、対称に対向して周方向に拡張された１対のウェブを備え、それぞれ、対応する対の支持通路のうちの１つの外周を画定する、前述又は後述の節のいずれかに記載のディスペンサ。
９１．針担体は、プランジャ支持体上で対応する表面と係合する、１対の対向及び周方向断面ガイド部を備える、前述又は後述の節のいずれかに記載のディスペンサ。
９２．長手軸を画定し、第１の流体送達端部領域で終端するバレルと、第１の流体送達端部領域に対してバレルに沿って移動可能であり、針担体、その間のプランジャ及び流体カプセル担体を備えた本体と、本体とバレルとの間にあるラッチ・インターフェイスであって、流体送達部位でバレルの圧縮係合によって生じるそれら間の解放力に反応して、プランジャ及び流体カプセル担体を針担体に向かって移動させて、針担体上での針の上流端部が流体カプセル担体のカプセル担持領域内に延び、針の下流端部がそこへの流体の送達のために第１の流体送達端部領域を通して突出して延びる分配構成へと至らせることを可能にするラッチ・インターフェイスとを備えた流体ディスペンサ。
９３．分配端部で終端する長手軸を画定するバレルと、分配端部に対してバレルに沿って移動可能であり、針担体、プランジャ及び針担体とプランジャに対して移動可能な流体カプセル担体を備えたディスペンサ本体と、バレルと分配本体との間の解放力に応じたバレル内の移動のためにディスペンサ本体を解放するように構成されるラッチ・インターフェイスとを備えた流体ディスペンサ。
９４．分配端部で終端する長手軸を画定するバレルと、分配端部に対してバレルに沿って移動可能であり、針担体、プランジャ及び針担体とプランジャに対して移動可能な流体カプセル担体を備えたディスペンサ本体と、流体送達部位での分配端部の圧縮係合に応じたバレル内の移動を分配するためにディスペンサ本体を解放するように構成されるラッチ・インターフェイスとを備えた流体ディスペンサ。
９５．第１のカプセル加圧モードで流体カプセル加圧区域を形成するように構成される流体カプセル・レシーバと、流体送達針を支持する針担体であって、針担体及び流体カプセル・レシーバが第２の流体カプセル穿刺モードで加圧された流体カプセルを穿刺するように流体カプセル加圧区域内に針を延ばすように構成される、針担体と、流体カプセル・レシーバ及び針担体を含む本体であって、流体カプセル・レシーバ及び針担体は第３の流体送達モードで針の流体送達端部を露出させるために本体に沿って移動するように構成される、本体とを備えた流体ディスペンサ。
９６．流体カプセル・レシーバはプランジャ及び流体カプセル担体を備え、プランジャ及び流体カプセル担体は、その間に流体カプセルを配置する相補的表面を有する、前述又は後述の節のいずれかに記載のディスペンサ。
９７．プランジャを支持するプランジャ支持体と、プランジャ支持体及び本体の間の実質的に一定の大きさで圧縮力を加えながら、第１、第２及び／又は第３のモードで流体カプセル担体に対するプランジャの変位を可能にするように、プランジャ支持体、流体カプセル担体、針担体及び／又は本体の間で動作可能な少なくとも１つのインターフェイスとをさらに備える、前述又は後述の節のいずれかに記載のディスペンサ。
９８．流体を流体カプセルから分配する方法であって、
ａ．流体カプセルを流体カプセル支持表面に配置するステップと、
ｂ．流体カプセルとの係合に向けて軸に沿ってプランジャを変位させるステップと、
ｃ．流体カプセル支持表面に対する流体カプセルの膜が張力を加えた針受け構成であるように、流体カプセルをプランジャと流体カプセル支持表面との間で加圧するステップと、
ｄ．流体送達針のカプセル穿刺端部を流体カプセル支持表面を通して延ばし、膜を貫通して、針を通して流体の分配を開始させるために、針支持体に向けて針受け構成において流体カプセルでプランジャ及び流体カプセル支持体を変位させるステップと、
ｅ．送達位置を貫通するように露出された針の反対側の流体送達端部で流体送達構成に向けてプランジャ、流体カプセル支持体及び針支持体を前進させるステップと
を含む、方法。
９９．分配デバイスをそこからの流体の送達後に固定する方法であって、第１の流体送達端部領域で終端する長手軸を画定するバレルと、分配前構成と分配構成との間の第１の段階内、及び分配構成と係止された分配後構成との間の第２の段階内の第１の流体送達端部領域に対するバレルに沿って移動可能なディスペンサ本体を提供するステップを含み、ディスペンサ本体は、少なくとも部分的に、第２の段階での移動中に少なくとも１つの係止構造と整列された配向を求めて第１の段階中に長手軸周りに回転するように構成される、方法。
１００．分配デバイスをそこからの流体の送達後に固定する方法であって、
ａ．第１の流体送達端部領域で終端する長手軸を画定するバレル、及び第１の流体送達端部領域に対してバレルに沿って移動可能なディスペンサ本体を提供するステップと、
ｂ．分配前構成と分配構成との間の第１の段階内、及び分配構成と係止された分配後構成との間の第２の段階内でディスペンサ本体を変位させるステップであって、ディスペンサ本体は、第２の段階での移動中に少なくとも１つの係止構造と整列された配向を求めて第１の段階及び／又は第２の段階中に、少なくとも部分的に、長手軸周りに回転される、ステップと
を含む方法。
１０１．第１の流体送達端部領域で終端する長手軸を画定するバレルと、分配前構成と分配構成との間の第１の段階内、及び分配構成と係止された分配後構成との間の第２の段階内の第１の流体送達端部領域に対するバレルに沿って移動可能なディスペンサ本体とを備えた流体ディスペンサであって、ディスペンサ本体は、第２の段階での移動中に係止された分配後構成にディスペンサ本体を係止するように構成される少なくとも１つの係止構造と整列された配向を求めて第１の段階及び／又は第２の段階中に長手軸周りに回転するように構成される、流体ディスペンサ。
１０２．第１の流体送達端部領域で終端する長手軸を画定するハウジング手段と、分配前構成と分配構成との間の第１の段階内、及び分配構成と係止された分配後構成との間の第２の段階内の第１の流体送達端部領域に対するハウジング手段に沿って移動可能な分配手段とを備えた流体ディスペンサであって、分配手段は、第２の段階での移動中に少なくとも１つの係止手段と整列された配向を求めて第１の段階中に長手軸周りに回転するように構成される、流体ディスペンサ。
１０３．第１の流体送達端部領域で終端する長手軸を画定するハウジング手段と、分配前構成と分配構成との間の第１の段階内、及び分配構成と係止された分配後構成との間の第２の段階内の第１の流体送達端部領域に対するハウジング手段に沿って移動可能な分配手段とを備えた流体ディスペンサであって、分配手段は、第２の段階での移動中に少なくとも１つの係止手段と整列された配向を求めて第１の段階及び／又は第２の段階中に長手軸周りに回転するように構成される、流体ディスペンサ。
１０４．分配手段は、その上に画定された第２の流体送達端部領域を有する針支持手段を備える、前述又は後述の節のいずれかに記載のディスペンサ。
１０５．分配手段は、運ばれたカプセルから流体を分配するように、第１の段階の少なくとも一部で針支持手段に対して移動可能な流体カプセル担体手段を備える、前述又は後述の節のいずれかに記載のディスペンサ。
１０６．分配手段は、運ばれたカプセルを加圧するように、第１の段階の少なくとも一部で流体カプセル担体手段に対して移動可能なプランジャ手段を備える、前述又は後述の節のいずれかに記載のディスペンサ。
１０７．針支持手段は、係止された分配後構成でハウジング手段内に収縮される、前述又は後述の節のいずれかに記載のディスペンサ。
１０８．流体カプセル担体手段は、第１の段階の少なくとも一部の間に、プランジャ手段で移動するように構成される、前述又は後述の節のいずれかに記載のディスペンサ。
１０９．第１の段階の少なくとも一部の間に、流体カプセル担体手段は、係止非整列及び係止整列角度位置の間で軸方向に回転するように構成される、前述又は後述の節のいずれかに記載のディスペンサ。
１１０．流体カプセル担体手段と、プランジャ手段及び針支持手段のうちの少なくとも１つとの間に設けられた少なくとも１つの回転手段をさらに備える、前述又は後述の節のいずれかに記載のディスペンサ。
１１１．少なくとも１つの回転手段は、流体カプセル担体手段とプランジャ手段との間に設けられた第１の回転手段を備える、前述又は後述の節のいずれかに記載のディスペンサ。
１１２．少なくとも１つの回転手段は、流体カプセル担体手段と針支持手段との間に設けられた第２の回転手段を備える、前述又は後述の節のいずれかに記載のディスペンサ。
１１３．カプセル担体手段は、プランジャ手段によって中で加圧されるように流体カプセルを受けるように構成され、流体カプセル担体手段は、第１の分配位置で、針支持手段上で針の上流端部を受け、加圧されると流体カプセルを貫通するように構成され、プランジャ手段は、第１の送達端部領域で針を通して流体を伝えるように分配位置に向けて流体カプセル担体手段で移動するように構成される、前述又は後述の節のいずれかに記載のディスペンサ。
１１４．第１の段階は、少なくとも部分的に、
ａ．プランジャ手段が流体カプセル担体手段に近づくと、流体カプセル担体手段が長手軸周りで針担体手段に対して回転可能である第１の回転段階と、
ｂ．カプセルを加圧し、流体を分配するように、分配位置に向かって、プランジャ手段が流体カプセル担体手段に対して軸方向に移動可能である第２の分配段階と
を含む、前述又は後述の節のいずれかに記載のディスペンサ。
１１５．第２の分配段階中に、少なくとも部分的に、プランジャ手段は、流体を分配するように、針担体手段上の針手段との穿刺接触に向けて、流体カプセル担体手段と軸方向に移動可能である、前述又は後述の節のいずれかに記載のディスペンサ。
１１６．少なくとも１つの係止手段は、流体カプセル担体手段が係止整列角度位置にある場合に、係止位置で流体カプセル担体手段を固定するように構成され、針支持手段は、分配位置から係止位置まで移動するように偏倚される、前述又は後述の節のいずれかに記載のディスペンサ。
１１７．少なくとも１つの係止手段は、分配手段が係止整列角度位置にある場合に係合するように、流体カプセル担体手段とハウジング手段との間で構成される、前述又は後述の節のいずれかに記載のディスペンサ。
１１８．偏倚は、第１及び第２の流体送達端部領域の間で作用する少なくとも１つの偏倚手段によって行われる、前述又は後述の節のいずれかに記載のディスペンサ。
１１９．遷移に向かう及びこれを越えた長手軸に沿った分配手段の相対的移動の後に、遷移領域で分配手段を解放し、それによってプランジャ手段を解放するように構成されるラッチ手段をさらに備える、前述又は後述の節のいずれかに記載のディスペンサ。
１２０．本明細書に図示及び記載した方法。
１２１．本明細書に図示及び記載したディスペンサ。
【００６７】
本開示は、実用的な例示的実施例であると考えられることを記載する。しかし、発明の範囲内で発展を行うことができ、自明の変更は当業者が思い付くことを認識されたい。さらに、本開示の主題は、本明細書の図、節及び／又は特許請求の範囲を含む本開示に記載されたあらゆる態様及び／又は例示的実施例の任意の要素、機構、構造、機能及び／又はステップを、本明細書の独立又は従属請求項に対する根拠として、本明細書の図、節及び／又は特許請求の範囲を含む本開示に記載されたあらゆる態様及び／又は例示的実施例の任意の他の１つ又は複数の要素、機構、構造、機能及び／又はステップと組み合わせるのに十分な根拠をサポート及び提供する。上記説明に関して、動作、組立及び使用のサイズ、材料、形、形状、機能及び方式の変形を含むための本発明の部分に対する寸法関係は、当業者には容易に分かり、自明であると考えられ、図面に示し、明細書に記載したものに対する全ての同等の関係は本発明に含まれることを意図することを了解されたい。
【００６８】
したがって、前述は本発明の原理の単なる例示的ものとして考えられる。さらに、図示及び記載した正確な構成及び動作に本発明を限定することは望ましくないので、多くの変形及び変更は当業者には直ぐに思い付くことができ、したがって、全ての好適な変更及び同等物は復元でき、本発明の範囲内にあると考えることができる。
【００６９】
デバイス又はアセンブリ及び付随する方法を、現在例示的実施例であると考えられるものに対して記載したが、本発明はこれに限るものではない。逆に、本発明は、添付の特許請求の範囲の精神及び範囲に含まれる様々な変更及び同等の配置を含むことを意図する。以下の特許請求の範囲の範囲は、このような変更及び同等の構造及び機能全てを含むように、最も広い解釈を認める。
【図１】
2020501861.tif 000003
【図２】
2020501861.tif 000004
【図３】
2020501861.tif 000005
【図４】
2020501861.tif 000006
【図５】
2020501861.tif 000007
【図６】
2020501861.tif 000008
【図７】
2020501861.tif 000009
【図８】
2020501861.tif 000010
【図９】
2020501861.tif 000011
【図１０】
2020501861.tif 000012
【図１１】
2020501861.tif 000013
【図１２】
2020501861.tif 000014
【図１２ａ】
2020501861.tif 000015
【図１３】
2020501861.tif 000016
【図１４】
2020501861.tif 000017
【図１５】
2020501861.tif 000018
【図１５ａ】
2020501861.tif 000019
【図１６】
2020501861.tif 000020
【図１７】
2020501861.tif 000021
【図１８】
2020501861.tif 000022
【図１８ａ】
2020501861.tif 000023
【図１９】
2020501861.tif 000024
【図１９ａ】
2020501861.tif 000025
【図２０】
2020501861.tif 000026
【図２１】
2020501861.tif 000027
【図２１ａ】
2020501861.tif 000028
【図２１ｂ】
2020501861.tif 000029
【図２２】
2020501861.tif 000030
【図２３】
2020501861.tif 000031
【図２４】
2020501861.tif 000032
【図２５】
2020501861.tif 000033
【図２６】
2020501861.tif 000034
【図２７】
2020501861.tif 000035
【図２８】
2020501861.tif 000036
【図２９】
2020501861.tif 000037
【図３０】
2020501861.tif 000038
【図３１】
2020501861.tif 000039
【図３２】
2020501861.tif 000040
【図３３】
2020501861.tif 000041
【図３４】
2020501861.tif 000042
【図３５】
2020501861.tif 000043
【図３６】
2020501861.tif 000044
【図３７】
2020501861.tif 000045
【図３８】
2020501861.tif 000046
【図３９】
2020501861.tif 000047
【図４０】
2020501861.tif 000048
【図４１】
2020501861.tif 000049
【図４２】
2020501861.tif 000050
【図４３】
2020501861.tif 000051
【図４４】
2020501861.tif 000052
【図４５】
2020501861.tif 000053
【図４６】
2020501861.tif 000054
【図４７】
2020501861.tif 000055
【図４８】
2020501861.tif 000056
【図４９】
2020501861.tif 000057
【図５０】
2020501861.tif 000058
【図５１】
2020501861.tif 000059
【図５２】
2020501861.tif 000060
【図５３】
2020501861.tif 000061
【図５４】
2020501861.tif 000062
【図５５】
2020501861.tif 000063
【図５６】
2020501861.tif 000064
【国際調査報告】
2020501861.tif 000065
2020501861.tif 000066
2020501861.tif 000067
2020501861.tif 000068
2020501861.tif 000069